(57)【要約】  しわの発生しない光学シートパッケージ体を提供する。光源像分割シート１１、拡散板１２、拡散シート１３および輝度向上フィルム１４などの複数の光学シートを重ね合わせてなる積層体１０と、積層体１０を包み込むと共に少なくとも拡散板１２の外縁の一部を露出させる１または複数の開口部２０Ａを有する可撓性フィルム２０とを備える。拡散板１２のうち少なくとも１つの開口部２０Ａに露出している露出部分１２Ａには、光学シートパッケージ体１を支持する筐体（ボトムシャーシ６およびミドルシャーシ７）との位置決めを行うための形状（被支持部１２Ｅ）が付されている。
2008099834.tif 000002
【特許請求の範囲】
【請求項１】
上面、下面および側面を有する矩形状の支持板および１または複数の光学シートを重ね合わせてなる積層体と、
前記積層体を包み込むと共に少なくとも前記支持板の外縁の一部を露出させる１または複数の開口部を有する可撓性フィルムと
を備える光学シートパッケージ体。
【請求項２】
少なくとも１つの前記開口部は、前記支持板の角に対応して設けられている
請求項１に記載の光学シートパッケージ体。
【請求項３】
少なくとも１つの前記開口部は、前記支持板の一の辺の全体または一部に対応して設けられている
請求項１に記載の光学シートパッケージ体。
【請求項４】
少なくとも１つの前記開口部には、前記支持板の上面、下面および側面のそれぞれの一部が露出している
請求項１に記載の光学シートパッケージ体。
【請求項５】
少なくとも１つの前記開口部には、前記支持板の側面の一部だけが露出している
請求項１に記載の光学シートパッケージ体。
【請求項６】
前記支持板のうち少なくとも１つの前記開口部に露出している露出部分には、当該光学シートパッケージ体を支持する筐体との位置決めを行うための形状が付されている
請求項１に記載の光学シートパッケージ体。
【請求項７】
光学シートパッケージ体と、前記光学シートパッケージ体を支持する筐体とを備え、
前記光学シートパッケージ体は、
上面、下面および側面を有する矩形状の支持板および１または複数の光学シートを重ね合わせてなる積層体と、
前記積層体を包み込むと共に少なくとも前記支持板の外縁の一部を露出させる１または複数の開口部を有する可撓性フィルムと
有し、
前記筐体は、前記支持板のうち少なくとも１つの前記開口部に露出している露出部分に対応して前記光学シートパッケージ体を支持する支持部を有する
光学シートユニット。
【請求項８】
光学シートパッケージ体と、前記光学シートパッケージ体を支持する筐体とを備え、
前記光学シートパッケージ体は、
上面、下面および側面を有する矩形状の支持板および１または複数の光学シートを重ね合わせてなる積層体と、
前記積層体を包み込む可撓性フィルムと
有し、
前記筐体は、前記可撓性フィルムを前記積層体の積層方向から挟み込むと共に前記可撓性フィルムとの接触部分に当該フィルムが前記積層体の積層方向と直交する方向に滑り易い表面特性を有する支持部を有する
光学シートユニット。
【請求項９】
光を射出する光源と、
前記光源から射出された光が入射する光学素子包装体と、
前記光学素子包装体から射出された光が入射する１または複数の第１の光学素子と
を備え、
前記光学素子包装体は、
１または複数の第２の光学素子と、
前記１または複数の光学素子を包む包装部材と
を有する
照明装置。
【請求項１０】
光学シートパッケージ体と、
前記光学シートパッケージ体に向けて光を射出する光源と、
前記光源および前記光学シートパッケージ体を支持する筐体と
を備え、
前記光学シートパッケージ体は、
上面、下面および側面を有する矩形状の支持板および１または複数の光学シートを重ね合わせてなる積層体と、
前記積層体を包み込むと共に少なくとも前記支持板の外縁の一部を露出させる１または複数の開口部を有する可撓性フィルムと
有し、
前記筐体は、前記支持板のうち少なくとも１つの前記開口部に露出している露出部分に対応して前記光学シートパッケージ体を支持する支持部を有する
照明装置。
【請求項１１】
前記可撓性フィルムは、少なくとも前記光源からの光が通過する領域に形成されている
請求項１０に記載の照明装置。
【請求項１２】
画像信号に基づいて駆動されるパネルと、
前記パネルを照明するための光を発する光源と、
前記パネルと光源との間に設けられた光学シートパッケージ体と、
前記パネル、前記光源および前記光学シートパッケージ体を支持する筐体と
を備え、
前記光学シートパッケージ体は、
上面、下面および側面を有する矩形状の支持板および１または複数の光学シートを重ね合わせてなる積層体と、
前記積層体を包み込むと共に少なくとも前記支持板の外縁の一部を露出させる１または複数の開口部を有する可撓性フィルムと
有し、
前記筐体は、前記支持板のうち少なくとも１つの前記開口部に露出している露出部分に対応して前記光学シートパッケージ体を支持する支持部を有する
表示装置。
【請求項１３】
光を射出する光源と、
前記光源から射出された光が入射する光学素子包装体と、
前記光学素子包装体から射出された光が入射する１または複数の第１の光学素子と
前記１または複数の第１の光学素子から射出された光が入射すると共に画像信号に基づいて駆動されるパネルと
を備え、
前記光学素子包装体は、
１または複数の第２の光学素子と、
前記１または複数の光学素子を包む包装部材と
を有する
表示装置。
【請求項１４】
矩形状の支持板および１または複数の光学シートを重ね合わせてなる積層体と、
前記積層体を包み込む可撓性フィルムと
を備え、
前記積層体のうち当該積層体の積層方向の一方の面が光入射面に対応すると共に、前記積層体のうち当該積層体の他方の面が光射出面に対応し、
前記支持板および１または複数の光学シートのうち前記光入射面に最も近いものは、一の方向に延在すると共に前記一の方向と交差する方向に並列配置された複数の第１凸部を有する
光学シートパッケージ体。
【請求項１５】
前記各第１凸部は、前記支持板の一の辺とほぼ平行に延在している
請求項１４に記載の光学シートパッケージ体。
【請求項１６】
前記各第１凸部は、前記支持板の一の辺と交差する方向に延在している
請求項１４に記載の光学シートパッケージ体。
【請求項１７】
前記支持板および１または複数の光学シートのうち前記光入射面に２番目に近いものは、前記第１凸部の延在方向と交差する方向に延在すると共に前記第１凸部の延在方向に並列配置された複数の第２凸部を有する
請求項１４に記載の光学シートパッケージ体。
【請求項１８】
矩形状の支持板および１または複数の光学シートを重ね合わせてなる積層体と、
前記積層体を包み込む可撓性フィルムと
を備え、
前記可撓性フィルムのうち前記積層体の積層方向の一方のフィルムが光入射面に対応すると共に、前記可撓性フィルムのうち前記積層体の積層方向の他方の面が光射出面に対応し、
前記可撓性フィルムのうち前記光入射面に対応するフィルムは、一の方向に延在すると共に前記一の方向と交差する方向に並列配置された複数の第１凸部を有する
光学シートパッケージ体。
【請求項１９】
前記各第１凸部は、前記支持板の一の辺とほぼ平行に延在している
請求項１８に記載の光学シートパッケージ体。
【請求項２０】
前記各第１凸部は、前記支持板の一の辺と交差する方向に延在している
請求項１８に記載の光学シートパッケージ体。
【請求項２１】
前記支持板および１または複数の光学シートのうち前記光入射面に２番目に近いものは、前記第１凸部の延在方向と交差する方向に延在すると共に前記第１凸部の延在方向に並列配置された複数の第２凸部を有する
請求項１８に記載の光学シートパッケージ体。
【請求項２２】
光学シートパッケージ体と、
前記光学シートパッケージ体に向けて光を射出する光源と
を備え、
前記光学シートパッケージ体は、
矩形状の支持板および１または複数の光学シートを重ね合わせてなる積層体と、
前記積層体を包み込む可撓性フィルムと
を有し、
前記支持板および複数の光学シートのうち前記光源に最も近いものは、一の方向に延在すると共に前記一の方向と交差する方向に並列配置された複数の凸部を有する
照明装置。
【請求項２３】
前記光源は、マトリクス状に配置された複数の点状光源であり、
前記各凸部は、前記点状光源の配列方向と交差する方向に延在している
請求項２２に記載の照明装置。
【請求項２４】
前記複数の点状光源の一の配列方向は、前記支持板の一の辺とほぼ平行に延在し、
前記複数の点状光源の他の配列方向は、前記支持板のうち前記一の辺と交差する他の辺と平行に延在している
請求項２３に記載の照明装置。
【請求項２５】
前記複数の点状光源の一の配列方向および前記複数の点状光源の他の配列方向は、前記支持板の全ての辺の延在方向と交差する方向に延在している
請求項２３に記載の照明装置。
【請求項２６】
光学シートパッケージ体と、
前記光学シートパッケージ体に向けて光を射出する光源と
を備え、
前記光学シートパッケージ体は、
矩形状の支持板および１または複数の光学シートを重ね合わせてなる積層体と、
前記積層体を包み込む可撓性フィルムと
を有し、
前記可撓性フィルムのうち前記光源に最も近いフィルムは、一の方向に延在すると共に前記一の方向と交差する方向に並列配置された複数の凸部を有する
照明装置。
【請求項２７】
画像信号に基づいて駆動されるパネルと、
前記パネルを照明するための光を発する光源と、
前記パネルと光源との間に設けられた光学シートパッケージ体と
を備え、
前記光学シートパッケージ体は、
矩形状の支持板および１または複数の光学シートを重ね合わせてなる積層体と、
前記積層体を包み込む可撓性フィルムと
を有し、
前記支持板および複数の光学シートのうち前記光源に最も近いものは、一の方向に延在すると共に前記一の方向と交差する方向に並列配置された複数の凸部を有する
表示装置。
【請求項２８】
画像信号に基づいて駆動されるパネルと、
前記パネルを照明するための光を発する光源と、
前記パネルと光源との間に設けられた光学シートパッケージ体と
を備え、
前記光学シートパッケージ体は、
矩形状の支持板および１または複数の光学シートを重ね合わせてなる積層体と、
前記積層体を包み込む可撓性フィルムと
を有し、
前記可撓性フィルムのうち前記光源に最も近いフィルムは、一の方向に延在すると共に前記一の方向と交差する方向に並列配置された複数の凸部を有する
照明装置。
【発明の詳細な説明】
【技術分野】
【０００１】
本発明は、支持板および複数の光学シートを可撓性フィルムで包み込んだ光学シートパッケージ体と、それを備えた光学シートユニット、照明装置および表示装置と、１または２以上の光学素子を包装部材で包み込んだ光学素子包装体を備えた照明装置に関する。
【背景技術】
【０００２】
近年、液晶表示装置は、低消費電力、省スペース等の利点や、低価格化等により、従来から表示装置の主流であったブラウン管（ＣＲＴ；Cathode Ray Tube）に置き換わりつつある。その液晶表示装置においても、例えば画像を表示する際の照明方法で分類するといくつかのタイプが存在し、代表的なものとして、液晶表示パネルの背後に配置した面発光源を利用して画像表示を行う透過型の表示装置が挙げられる。【０００３】
このような透過型の表示装置では、表示輝度が高く、表示画面内において表示輝度が均一であり、しかも視野角が広いことが表示装置の商品価値を高める上で特に重要である。そのため、面発光源と液晶表示パネルとの間には、例えば、光源像分割シートや、拡散板、拡散シート、輝度向上フィルム、偏光分離シートなどの様々な光学シートが配置されている（特許文献１，２）。【０００４】
【特許文献１】特開２００６−７８７３７号公報
【特許文献２】特表平９−５０６９８５号公報
【発明の開示】
【０００５】
ところで、表示装置を薄型化するために、面発光源と液晶表示パネルとの間に配置された各光学シートを互いに密着させることがある。しかし、各光学シートの熱膨張率は、互いに異なるので、面発光源が点灯し、面発光源から熱が発生すると、面発光源からの熱により各光学シートが加熱され、互いに異なる伸び量で熱膨張する。また、面発光源が消灯し、面発光源から熱が供給されなくなると、各光学シートは冷え、互いに異なる縮み量で熱収縮する。その結果、薄い光学シートには、リング状のしわが発生する。このように、光学シートにしわが発生した場合には、その光学シートを透過した光に、そのしわの分布に応じた光の濃淡が生じ、表示画面内において表示輝度が不均一となってしまうという問題があった。
【０００６】
そのため、従来は、表示装置内において、面発光源の光射出面がほぼ鉛直となるように面発光源が配置される場合には、各光学シートの側面を囲う筐体の上部に複数のピンを設けると共に、各光学シートの上端部のうちこれらのピンと対応する位置に孔を設け、各光学シートの孔に筐体のピンを引っ掛けて、各光学シートをその自重で吊り下げて、各光学シートの間に隙間ができるようにしていた。
【０００７】
しかし、このように各光学シートをピンに吊り下げるようにした場合であっても、各光学シートのサイズが大きいときには、各光学シートの一部が密着してしまうことがある。その結果、互いに密着し合っている光学シート同士において、筐体のピンと密着部分とにより面内方向の動きが制限されてしまうので、面発光源の点灯および消灯に応じて伸縮を繰り返した場合には、リング状のしわが発生する可能性がある。
【０００８】
そこで、全ての光学シートを透明な可撓性フィルムで一括して包み込み、一体化する方法が提案されている。この方法によれば、各光学シートの面内方向の動きが制限されるような密着が生じないので、しわの発生を防止することができる。また、各光学シートが一体化されているので、光学シート単体の場合よりも取扱いが容易であり、各光学シートの間にゴミが入りにくい。また、一般に、各光学シートには、輸送時の傷付き防止などを目的として保護フィルムが貼付されているので、各光学シートを筐体に組み込む際にその保護フィルムをいちいち剥がす作業が必要になる。しかし、各光学シートを一体化した場合には、このような保護フィルムがそもそも必要ないので、各光学シートを一体化したもの（光学シートパッケージ体）を筐体に組み込む際に保護フィルムを剥がす作業が不要となる。その結果、保護フィルムを廃棄することもなくなるという環境上のメリットも生じる。
【０００９】
このように、光学シートパッケージ体は様々な利点を有するが、この光学シートパッケージ体を従来と同様にピンで吊り下げた場合には、輸送時等の振動によるがたつきで、可撓性フィルムが破損してしまう可能性がある。そこで、光学シートパッケージ体を積層方向から筐体で挟み込んで固定することが考えられるが、そのようにした場合には、光学シートパッケージ体内の各光学シートの面内方向の動きが制限されてしまい、リング状のしわが発生する可能性がある。
【００１０】
本発明はかかる問題点に鑑みてなされたもので、その目的は、しわの発生しない光学シートパッケージ体ならびにそれを備えた光学シートユニット、照明装置および表示装置を提供することにある。
【００１１】
本発明の光学シートパッケージ体は、上面、下面および側面を有する矩形状の支持板および１または複数の光学シートを重ね合わせてなる積層体と、積層体を包み込むと共に少なくとも支持板の外縁の一部を露出させる１または複数の開口部を有する可撓性フィルムとを備えたものである。
【００１２】
本発明の光学シートパッケージ体では、１または複数の光学シートと共に可撓性フィルムによって覆われた支持板の外縁の一部が、可撓性フィルムに設けられた１または複数の開口部から露出している。これにより、積層体を筐体に対して位置決めする際に、積層体のうち支持板だけを筐体によって支持し、１または複数の光学シートを可撓性フィルムによって支持することが可能となる。
【００１３】
本発明の第１の光学シートユニットは、上記光学シートパッケージ体と、上記光学シートパッケージ体を支持する筐体とを備えたものである。上記筐体は、支持板のうち少なくとも１つの開口部に露出している露出部分に対応して上記光学シートパッケージ体を支持する支持部を有している。
【００１４】
本発明の第１の光学シートユニットでは、１または複数の光学シートと共に可撓性フィルムによって覆われた支持板のうち少なくとも１つの開口部に露出している露出部分に対応して光学シートパッケージ体を支持する支持部が設けられている。これにより、積層体のうち支持板だけを筐体の支持部によって支持し、各光学シートを可撓性フィルムによって支持することが可能となる。
【００１５】
本発明の第２の光学シートユニットは、光学シートパッケージ体と、この光学シートパッケージ体を支持する筐体とを備えたものである。ここで、光学シートパッケージ体は、上面、下面および側面を有する矩形状の支持板および１または複数の光学シートを重ね合わせてなる積層体と、積層体を包み込む可撓性フィルムと有している。また、筐体は、可撓性フィルムを積層体の積層方向から挟み込むと共に可撓性フィルムとの接触部分に当該フィルムが積層体の積層方向と直交する方向に滑り易い表面特性を有する支持部を有している。
【００１６】
本発明の第２の光学シートユニットでは、可撓性フィルムを積層体の積層方向から挟み込むと共に可撓性フィルムとの接触部分に当該フィルムが積層体の積層方向と直交する方向に滑り易い表面特性を有する支持部が筐体に付されている。これにより、積層体内の支持板および１または複数の光学シートは積層面内方向に対して個別に伸縮可能となっている。
【００１７】
本発明の照明装置は、光学シートパッケージ体と、光学シートパッケージ体に向けて光を射出する光源と、光源および光学シートパッケージ体を支持する筐体とを備えたものである。ここで、光学シートパッケージ体は、上面、下面および側面を有する矩形状の支持板および１または複数の光学シートを重ね合わせてなる積層体と、積層体を包み込むと共に少なくとも支持板の外縁の一部を露出させる１または複数の開口部を有する可撓性フィルムとを備えたものである。筐体は、支持板のうち少なくとも１つの開口部に露出している露出部分に対応して、光学シートパッケージ体を支持する支持部を有している。
【００１８】
本発明の照明装置では、１または複数の光学シートと共に可撓性フィルムによって覆われた支持板のうち少なくとも１つの開口部に露出している露出部分に対応して、光学シートパッケージ体を支持する支持部が設けられている。これにより、積層体のうち支持板だけを筐体の支持部によって支持し、１または複数の光学シートを可撓性フィルムによって支持することが可能となる。
【００１９】
本発明の表示装置は、画像信号に基づいて駆動されるパネルと、パネルを照明するための光を発する光源と、パネルと光源との間に設けられた光学シートパッケージ体と、パネル、光源および光学シートパッケージ体を支持する筐体とを備えたものである。ここで、光学シートパッケージ体は、上面、下面および側面を有する矩形状の支持板および１または複数の光学シートを重ね合わせてなる積層体と、積層体を包み込むと共に少なくとも支持板の外縁の一部を露出させる１または複数の開口部を有する可撓性フィルムとを備えたものである。筐体は、支持板のうち少なくとも１つの開口部に露出している露出部分に対応して、光学シートパッケージ体を支持する支持部を有している。
【００２０】
本発明の表示装置では、１または複数の光学シートと共に可撓性フィルムによって覆われた支持板のうち少なくとも１つの開口部に露出している露出部分に対応して、光学シートパッケージ体を支持する支持部が設けられている。これにより、積層体のうち支持板だけを筐体の支持部によって支持し、１または複数の光学シートを可撓性フィルムによって支持することが可能となる。
【００２１】
本発明の光学シートパッケージ体によれば、１または複数の光学シートと共に可撓性フィルムによって覆われた支持板の外縁の一部を、可撓性フィルムに設けられた１または複数の開口部から露出させるようにしたので、積層体を筐体に対して位置決めする際に、積層体のうち支持板だけを筐体によって支持し、１または複数の光学シートを可撓性フィルムによって支持することが可能となる。これにより、積層体内の支持板および１または複数の光学シートは積層面内方向に対して個別に伸縮することができるので、しわが発生する虞はない。
【００２２】
本発明の第１の光学シートユニット、照明装置および表示装置によれば、１または複数の光学シートと共に可撓性フィルムによって覆われた支持板のうち少なくとも１つの開口部に露出している露出部分に対応して光学シートパッケージ体を支持する支持部を設けるようにしたので、積層体のうち支持板だけを筐体の支持部で支持し、１または複数の光学シートを可撓性フィルムで支持することが可能となる。これにより、積層体内の支持板および１または複数の光学シートは積層面内方向に対して個別に伸縮することができるので、しわが発生する虞はない。
【００２３】
本発明の第２の光学シートユニットによれば、可撓性フィルムを積層体の積層方向から挟み込むと共に可撓性フィルムとの接触部分に当該フィルムが積層体の積層方向と直交する方向に滑り易い表面特性を有する支持部を筐体に設けるようにしたので、積層体内の支持板および１または複数の光学シートは積層面内方向に対して個別に伸縮することができる。その結果、しわが発生する虞はない。
【図面の簡単な説明】
【００２４】
【図１】本発明の第１の実施の形態に係る光学シートパッケージ体の上面構成の一例を表す平面図である。
【図２】図１の光学シートパッケージ体のＡ−Ａ矢視方向の断面構成図である。
【図３】図２の露出部分を拡大して表した斜視図である。
【図４】図３の露出部分の一変形例を表す斜視図である。
【図５】図３の露出部分の他の変形例を表す斜視図である。
【図６】図３の露出部分のその他の変形例を表す斜視図である。
【図７】図３の露出部分の更にその他の変形例を表す斜視図である。
【図８】図３の露出部分の更にその他の変形例を表す斜視図である。
【図９】図３の露出部分の更にその他の変形例を表す斜視図である。
【図１０】図３の露出部分の更にその他の変形例を表す斜視図である。
【図１１】図３の露出部分の更にその他の変形例を表す斜視図である。
【図１２】図３の露出部分の更にその他の変形例を表す斜視図である。
【図１３】図３の露出部分の更にその他の変形例を表す斜視図である。
【図１４】図３の露出部分の更にその他の変形例を表す斜視図である。
【図１５】図１の光学シートパッケージ体の一変形例を表す平面図である。
【図１６】図１の光学シートパッケージ体の他の変形例を表す平面図である。
【図１７】図１の光学シートパッケージ体のその他の変形例を表す平面図である。
【図１８】図１の光学シートパッケージ体の更にその他の変形例を表す平面図である。
【図１９】図１の光学シートパッケージ体の更にその他の変形例を表す平面図である。
【図２０】図１の光学シートパッケージ体の更にその他の変形例を表す平面図である。
【図２１】図１の光学シートパッケージ体の更にその他の変形例を表す平面図である。
【図２２】本発明の第２の実施の形態に係る光学シートパッケージ体の上面構成の一例を表す平面図である。
【図２３】図２２の露出部分を拡大して表した斜視図である。
【図２４】図２２の露出部分の一変形例を表す斜視図である。
【図２５】図２２の露出部分の他の変形例を表す斜視図である。
【図２６】図２２の露出部分のその他の変形例を表す斜視図である。
【図２７】図２２の露出部分のその他の変形例を表す斜視図である。
【図２８】図２２の露出部分のその他の変形例を表す斜視図である。
【図２９】図２２の露出部分のその他の変形例を表す斜視図である。
【図３０】図２２の露出部分のその他の変形例を表す斜視図である。
【図３１】図２２の露出部分のその他の変形例を表す斜視図である。
【図３２】図２２の露出部分のその他の変形例を表す斜視図である。
【図３３】図２２の露出部分のその他の変形例を表す斜視図である。
【図３４】図２２の光学シートパッケージ体の一変形例を表す平面図である。
【図３５】図２２の光学シートパッケージ体の他の変形例を表す平面図である。
【図３６】図２２の光学シートパッケージ体のその他の変形例を表す平面図である。
【図３７】図２２の光学シートパッケージ体の更にその他の変形例を表す平面図である。
【図３８】図２２の光学シートパッケージ体の更にその他の変形例を表す平面図である。
【図３９】本発明の第３の実施の形態に係る光学シートパッケージ体の上面構成の一例を表す平面図である。
【図４０】図３９の露出部分を拡大して表した斜視図である。
【図４１】図３９の露出部分の一変形例を表す斜視図である。
【図４２】図３９の露出部分の他の変形例を表す斜視図である。
【図４３】図３９の露出部分のその他の変形例を表す斜視図である。
【図４４】図３９の露出部分のその他の変形例を表す斜視図である。
【図４５】図３９の露出部分のその他の変形例を表す斜視図である。
【図４６】本発明の第４の実施の形態に係る表示装置の断面構成図である。
【図４７】図４６の露出部分と支持部との支持状態の一例を説明するための斜視図である。
【図４８】図４６の露出部分と支持部との支持状態の他の例を説明するための斜視図である。
【図４９】図４６の露出部分と支持部との支持状態のその他の例を説明するための斜視図である。
【図５０】図４６の露出部分と支持部との支持状態の更にその他の例を説明するための斜視図である。
【図５１】図４６の露出部分と支持部との支持状態の更にその他の例を説明するための斜視図である。
【図５２】図４６の露出部分と支持部との支持状態の更にその他の例を説明するための斜視図である。
【図５３】図４６の露出部分と支持部との支持状態の更にその他の例を説明するための斜視図である。
【図５４】図４６の露出部分と支持部との支持状態の更にその他の例を説明するための斜視図である。
【図５５】図４６の露出部分と支持部との支持状態の更にその他の例を説明するための斜視図である。
【図５６】図４６の露出部分と支持部との支持状態の更にその他の例を説明するための斜視図である。
【図５７】図４６の露出部分と支持部との支持状態の更にその他の例を説明するための斜視図である。
【図５８】図４６の露出部分と支持部との支持状態の更にその他の例を説明するための斜視図である。
【図５９】図４６の露出部分と支持部との支持状態の更にその他の例を説明するための斜視図である。
【図６０】図４６の露出部分と支持部との支持状態の更にその他の例を説明するための斜視図である。
【図６１】図４６の露出部分と支持部との支持状態の更にその他の例を説明するための斜視図である。
【図６２】図４６の露出部分と支持部との支持状態の更にその他の例を説明するための斜視図である。
【図６３】図４６の露出部分と支持部との支持状態の更にその他の例を説明するための斜視図である。
【図６４】図４６の露出部分と支持部との支持状態の更にその他の例を説明するための斜視図である。
【図６５】図４６の露出部分と支持部との支持状態の更にその他の例を説明するための斜視図である。
【図６６】図４６の露出部分と支持部との支持状態の更にその他の例を説明するための斜視図である。
【図６７】図４６の露出部分と支持部との支持状態の更にその他の例を説明するための斜視図である。
【図６８】図４６の露出部分と支持部との支持状態の更にその他の例を説明するための斜視図である。
【図６９】図４６の露出部分と支持部との支持状態の更にその他の例を説明するための斜視図である。
【図７０】図４６の露出部分と支持部との支持状態の更にその他の例を説明するための斜視図である。
【図７１】図４６の露出部分と支持部との支持状態の更にその他の例を説明するための斜視図である。
【図７２】本発明の第５の実施の形態に係る表示装置の断面構成図である。
【図７３】図７２の光学シートパッケージ体をスロットインする方法の一例を説明するための断面構成図である。
【図７４】図７２の光学シートパッケージ体をスロットインする方法の他の例を説明するための断面構成図である。
【図７５】図７２の光学シートパッケージ体をスロットインする方法のその他の例を説明するための断面構成図である。
【図７６】図７２の光学シートパッケージ体をスロットインする方法の更にその他の例を説明するための断面構成図である。
【図７７】図７２の光学シートパッケージ体をスロットインする方法の更にその他の例を説明するための断面構成図である。
【図７８】図７２の光学シートパッケージ体をスロットインする方法の更にその他の例を説明するための断面構成図である。
【図７９】図７２の光学シートパッケージ体をスロットインする方法の更にその他の例を説明するための断面構成図である。
【図８０】図７２の光学シートパッケージ体をスロットインする方法の更にその他の例を説明するための断面構成図である。
【図８１】本発明の第６の実施の形態に係る表示装置の断面構成図である。
【図８２】図８１の光学シートパッケージ体の一例を説明するための上面図である。
【図８３】本発明の第７の実施の形態に係る光学シートパッケージ体の断面構成図、ならびにそれに含まれる光源像分割シートおよび輝度向上フィルムの斜視図である。
【図８４】図８３の光学シートパッケージ体の一変形例の断面構成図およびそれに含まれる光源像分割シートの斜視図である。
【図８５】図８３の光学シートパッケージ体の他の変形例の断面構成図およびそれに含まれる２つの光源像分割シートの斜視図である。
【図８６】図８５の光学シートパッケージ体の一変形例の断面構成図およびそれに含まれる光源像分割シートの斜視図である。
【図８７】図８５の光学シートパッケージ体の他の変形例の断面構成図およびそれに含まれる光源像分割シートの斜視図である。
【図８８】図８３の光学シートパッケージ体のその他の変形例の断面構成図およびそれに含まれる光源像分割シートの斜視図である。
【図８９】図８３の光学シートパッケージ体の更にその他の変形例の断面構成図およびそれに含まれる光源像分割シートの斜視図である。
【図９０】図８９の光学シートパッケージ体の一変形例の断面構成図およびそれに含まれる光源像分割シートの斜視図である。
【図９１】図８３の光学シートパッケージ体の更にその他の変形例の断面構成図およびそれに含まれる光源像分割シートの斜視図である。
【図９２】図９１の光学シートパッケージ体の一変形例の断面構成図およびそれに含まれる光源像分割シートの斜視図である。
【図９３】本発明の第８の実施の形態に係る光学シートパッケージ体の断面構成図およびそれに含まれる光源像分割シートの斜視図である。
【図９４】図９３の光学シートパッケージ体の一変形例の断面構成図、ならびにそれに含まれる光源像分割部および光源像分割シートの斜視図である。
【図９５】図９４の光学シートパッケージ体の一変形例の断面構成図、ならびにそれに含まれる光源像分割部および光源像分割シートの斜視図である。
【図９６】図９３の光学シートパッケージ体の他の変形例の断面構成図、ならびにそれに含まれる光源像分割部および光源像分割シートの斜視図である。
【図９７】図９３の光学シートパッケージ体のその他の変形例の断面構成図、ならびにそれに含まれる光源像分割部および光源像分割シートの斜視図である。
【図９８】図９３の光学シートパッケージ体の更にその他の変形例の断面構成図、ならびにそれに含まれる光源像分割部および光源像分割シートの斜視図である。
【図９９】本発明の第９の実施の形態に係る表示装置の断面構成図、ならびにそれに含まれる光源像分割シート、輝度向上フィルムおよび光源の斜視図である。
【図１００】図９９の表示装置の一変形例の断面構成図、ならびにそれに含まれる光源像分割部および光源の斜視図である。
【図１０１】本発明の第１０の実施の形態に係る表示装置の断面構成図、ならびにそれに含まれる２枚の光源像分割シートおよび光源の斜視図である。
【図１０２】図１０１の表示装置の一変形例の断面構成図、ならびにそれに含まれる光源像分割シートおよび光源の斜視図である。
【図１０３】図１０１の表示装置の他の変形例の断面構成図、ならびにそれに含まれる光源像分割部、光源像分割シートおよび光源の斜視図である。
【図１０４】図１０１の表示装置のその他の変形例の断面構成図、ならびにそれに含まれる光源像分割部、光源像分割シートおよび光源の斜視図である。
【図１０５】本発明の第１１の実施の形態に係る表示装置の断面構成図、ならびにそれに含まれる２枚の光源像分割シートおよび光源の斜視図である。
【図１０６】図１０５の表示装置の一変形例の断面構成図、ならびにそれに含まれる光源像分割シートおよび光源の斜視図である。
【図１０７】図１０５の表示装置の他の変形例の断面構成図、ならびにそれに含まれる光源像分割部、光源像分割シートおよび光源の斜視図である。
【図１０８】図１０５の表示装置のその他の変形例の断面構成図、ならびにそれに含まれる光源像分割部および光源の斜視図である。
【図１０９】図９９の表示装置の他の変形例の断面構成図である。
【図１１０】図１００の表示装置の一変形例の断面構成図である。
【図１１１】図８９の光源像分割シートの稜線と点状光源の配列との関係を説明するための概略図である。
【図１１２】図８９の光源像分割シートの光学特性をシミュレーションで求めた特性図である。
【図１１３】図８９の光源像分割シートの作用の他の例について説明するための概念図である。
【図１１４】図８９の光源像分割シートの作用のその他の例について説明するための概念図である。
【図１１５】図９１の光源像分割シートの稜線と点状光源の配列との関係を説明するための概略図である。
【図１１６】図９１の光源像分割シートの光学特性をシミュレーションで求めた特性図である。
【図１１７】図９１の光源像分割シートの作用の他の例について説明するための概念図である。
【図１１８】図９１の光源像分割シートの作用のその他の例について説明するための概念図である。
【発明を実施するための最良の形態】
【００２５】
以下、本発明の実施の形態について、図面を参照して詳細に説明する。【００２６】
[第１の実施の形態]
図１は、本発明の第１の実施の形態に係る光学シートパッケージ体１の上面構成の一例を表すものである。この光学シートパッケージ体１は、例えば液晶表示パネルと光源との間に配置され、光源の光学特性を改善するために好適に用いられるものである。図２は、図１の光学シートパッケージ体１のＡ−Ａ矢視方向の断面構成を表すものである。図３は、図１の光学シートパッケージ体１の端部を拡大して表すものである。【００２７】
この光学シートパッケージ体１は、図２に示したように、積層体１０と、可撓性フィルム２０とを備えたものである。【００２８】
積層体１０は、例えば、光源像分割シート１１、拡散板１２、拡散シート１３および輝度向上フィルム１４をこの順に重ね合わせて形成されたものである。【００２９】
光源像分割シート１１は、その上面に底面と平行な平面に沿って延在する複数の柱状のプリズム１１Ａ（線状の凸部）が連続的に並んで配置された薄い光学シートである。各プリズム１１Ａは、積層体１０の直下に複数の線状光源が並列配置される場合には、各プリズム１１Ａの延在方向がその線状光源の延在方向（例えば水平方向）と互いに平行となるように並列配置されていることが好ましいが、各線状光源の延在方向に対して光学特性上許容できる範囲内で交差するように配置されていてもよい。【００３０】
これにより、光源像分割シート１１は、例えば一の線状光源から射出された光のうち底面または各プリズム１１Ａの上面に臨界角未満の角度で入射した光を屈折透過する一方で、臨界角以上の角度で入射した光を全反射するので、一の線状光源がつくる光源像を各プリズム１１Ａの上面を構成する面の数（厳密には傾斜角ごとに分類される面の数）に応じて複数に分割する機能を有する。なお、各プリズム１１Ａの表面が曲面となっている場合には、光源像分割シート１１は、一の光源がつくる光源像を無限に分割する機能を有する。つまり、この光源像分割シート１１は、一の線状光源がつくる光源像を複数に分割し、分割した後の各光源像により形成される光源像同士の間隔を線状光源同士の間隔よりも狭くするので、分割した後の光源像の輝度レベル（最大値）と分割した後の光源像同士の間の輝度レベル（最小値）との差を、分割前の光源像の輝度レベル（最大値）と分割前の光源像間の輝度レベル（最小値）との差よりも小さくし、照明輝度のむらを低減することができる。従って、光源像分割シート１１は拡散シートの一種とも言える。【００３１】
なお、光源像とは、光の輝度分布において、輝度のピークを示す光束を表すものであり、光源像どうしの間隔とは、輝度分布において隣り合うピーク（頂点）どうしの面内方向における間隔をいうものとする。【００３２】
この光源像分割シート１１は、透光性を有する樹脂材料、例えば熱可塑性樹脂を用いて一体的に形成されていてもよいし、また、透光性の基材、例えば、ＰＥＴ（ポリエチレンテレフタレート）上にエネルギー線（たとえば紫外線）硬化樹脂を転写して形成されていてもよい。【００３３】
ここで、熱可塑性樹脂としては、光の出射方向を制御するという機能を考慮すると、屈折率１．４以上のものを用いることが好ましい。このような樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭS（メチルメタクリレートとスチレンの共重合体）などの非晶性共重合ポリエステル樹脂、ポリスチレン樹脂およびポリ塩化ビニル樹脂などが挙げられる。【００３４】
拡散板１２は、例えば、比較的厚手の板状の透明樹脂（上面１２Ｂ、下面１２Ｃおよび側面１２Ｄを有する矩形状の透明樹脂（図３参照））の内部に光拡散材（フィラー）を分散して形成された光拡散層を有する厚くて剛性の高い光学シートである。この拡散板１２の一部は、後述するように、可撓性フィルム２０の開口部２０Ａから露出しており、その露出部分には、後述するように、光学シートパッケージ体１を支持する筐体との位置決めを行うための形状が付されている。【００３５】
ここで、板状の透明樹脂には、例えばＰＥＴ、アクリルおよびポリカーボネートなどの光透過性熱可塑性樹脂が用いられる。上記拡散板１２に含まれる光拡散層は、例えば０．５ｍｍ以上４ｍｍ以下の厚みを有している。また、光拡散材は、例えば０．５μｍ以上１０μｍ以下の平均粒子径を有する粒子からなり、上記光拡散層全体の重量に対して０．１重量部以上１０重量部以下の範囲で透明樹脂中に分散されている。これにより、この拡散板１２は、光源像分割シート１１がつくる光源像を拡散する機能を有している。【００３６】
光拡散層が０．５ｍｍより薄くなると、光拡散性が損なわれ、また、後述するように拡散板１２を筐体で支持する際にシート剛性が確保できなくなる虞があるからである。また、光拡散層が４ｍｍより厚くなると、拡散板１２が光源からの光によって加熱されたときに、その熱を放散することが困難となり、拡散板１２が撓む虞があるからである。光拡散材の平均粒子径が０．５μｍ以上１０μｍ以下の範囲にあること、光拡散材が光拡散層全体の重量に対して０．１重量部以上１０重量部以下の範囲で透明樹脂中に分散されていることにより、光拡散材としての効果が効率よく発現し、光源像分割シート１１との組合せで効率よく輝度むらを解消することができる。【００３７】
拡散シート１３は、例えば、比較的薄手のフィルム状の透明樹脂上に光拡散材を含む透明樹脂を塗布して形成された薄い光学シートである。【００３８】
ここで、フィルム状の透明樹脂には、上記の拡散板１２と同様、例えばＰＥＴ、アクリルおよびポリカーボネートなどの光透過性熱可塑性樹脂が用いられる。上記拡散板に含まれる光拡散層は、上記の拡散板１２と同様の構成となっている。これにより、この拡散シート１３は、光源像分割シート１１がつくる光源像を拡散する機能を有している。【００３９】
輝度向上フィルム１４は、その上面に底面と平行な平面に沿って延在する複数の柱状のプリズム１４Ａ（線状の凸部）が連続的に並んで配置された薄い光学シートである。各プリズム１４Ａは、積層体１０の直下に複数の線状光源が並列配置される場合には、各プリズム１４Ａの延在方向がその線状光源の延在方向（例えば水平方向）と互いに平行となるように並列配置されていることが好ましいが、各線状光源の延在方向に対して光学特性上許容できる範囲内で交差するように配置されていてもよい。【００４０】
これにより、輝度向上フィルム１４は、底面側から入射した光のうち各プリズム１４Ａの配列方向の成分を底面の法線方向に向けて屈折透過させ、指向性を増加させるようになっている。【００４１】
この輝度向上フィルム１４は、光源像分割シート１１と同様、透光性を有する樹脂材料により構成されている。【００４２】
可撓性フィルム２０は、例えば透明性を有する単層または複数層のフィルム状、シート状、プレート状もしくは袋状である。【００４３】
この可撓性フィルム２０の透過率は、好ましくは５〜９５％である。耐傷性、密着によるにじみ防止や、光学散乱性の付与として包括体自体に表面形状を付与したり、ＴｉＯ２、ＳｉＯ２、Ａｌ２Ｏ３、ＣａＣｏ３、ＢａＳＯ４などの無機粒子、ポリメチルメタクリレート、あるいはポリスチレン、塩化ビニル、フッ素系樹脂、ポリエステル類などの有機粒子、更にはこれらの材料による空孔を有する粒子、あるいは空孔を有する材料であってもよい。また、２種以上の樹脂の混合、合成であってもよく、透明、あるいは耐傷性、密着防止、光学散乱特性の付与ができればよい。【００４４】
また、可撓性フィルム２０が異方性を有する場合には、その光学異方性は小さいことが好ましく、具体的にはそのリタデーション（retardation）が、５０ｎｍ以下であることが好ましい。可撓性フィルム２０としては、１軸延伸もしくは２軸延伸のシートまたはフィルムを用いることが好ましい。このようなシートまたはフィルムを用いた場合、熱を加えることにより可撓性フィルム２０を延伸方向とは反対の方向に収縮させることができるので、可撓性フィルム２０と光学素子積層体との密着性を高めることができる。【００４５】
可撓性フィルム２０としては、例えば透明性を有する高分子材料を用いることができる。高分子材料としては、例えば、ポリエチレン（ＰＥ）、ポリプロピレン（ＰＰ）、ポリブチレン（ＰＢ）などのポリオレフィン系樹脂、ポリエチレンテレフタレート（ＰＥＴ）、ポリエチレンナフタレート（ＰＥＮ）、ポリブチレンテレフタレート、ポリブチレンナフタレートなどのポリエステル系樹脂、ポリカーボネート（ＰＣ）系樹脂、シクロオレフィン系樹脂、ウレタン系樹脂、ウレア系樹脂、塩化ビニル系樹脂、天然ゴム系樹脂、人工ゴム系樹脂、ポリメチルメタクリレート系樹脂、ポリスチレン系樹脂などのビニル系樹脂、ビニル芳香族炭化水素と共役ジエンとのブロック共重合体などを用いることができ、特にビニル芳香族炭化水素と共役ジエンとのブロック共重合体が好ましい。また、高分子材料としては、結晶および非結晶いずれのものも用いることができる。これらは、２種以上の材料にて形成され、結束する際の接合の際に熱溶着などの手段に用いられてもよい。例えば、一方を基材として、反対面の一方に低分子量成分を増やした層を設けて溶着し易い層を形成したり、あるいは、１つの基材の一方の面に易接着層として熱可塑性樹脂層あるいはプライマーとして低分子成分を成形・塗布、あるいはラミネートなどによって形成することができる。【００４６】
上述のように、可撓性フィルム２０は、少なくともビニル芳香族炭化水素と共役ジエンとのブロック共重合体を含んでいることが好ましい。なお、可撓性フィルム２０が、複数層からなる場合には、この複数層の少なくとも一層に、少なくともビニル芳香族炭化水素と共役ジエンとのブロック共重合体を含んでいる。【００４７】
ブロック共重合体におけるビニル芳香族炭化水素としては、例えば、スチレン、ｏ−メチルスチレン、ｐ−メチルスチレン、２，４−ジメチルスチレン、２，５−ジメチルスチレン、α−メチルスチレン、ビニルナフタレン、ビニルアントラセン、などを挙げることができるが、特に一般的にはスチレンが挙げられる。【００４８】
ブロック共重合体における共役ジエンとしては、２，３−ブタジエン、２−メチル−１，３−ブタジエン（イソプロピレン）、２，３−ジメチル−１，３−ブタジエン、１，３ペンタジエンなどが挙げられるが、特に一般的なものとしては、１，３ブタジエン、イソプレンが挙げられる。【００４９】
ビニル芳香族炭化水素と共役ジエンとの質量比［（ビニル芳香族炭化水素）：（共役ジエン）］は、好ましくは９５：５〜５：９５であり、より好ましくは９０：１０〜６０：４０である。ビニル芳香族炭化水素の質量比が５質量％未満であるとフィルムの剛性が低下し、９５質量％を超えると表面特性が劣化するからである。【００５０】
ビニル芳香族炭化水素と共役ジエンとのブロック率は７０〜９０％であることが好ましい。ブロック率が７０質量％未満であるとフィルムの合成が低下し、９０質量％を超えると表面性が劣化して実用に供せない虞があるからである。なお、ビニル芳香族炭化水素のブロック率は、共重合体中のビニル芳香族炭化水素のブロック重合鎖の質量をＷ１、ブロック共重合体中のビニル芳香族炭化水素の全質量Ｗ０としたときに、（Ｗ１／Ｗ０）×１００の式である。Ｗ１は、例えば、ブロック共重合体をオゾン分解し、得られたビニル芳香族炭化水素重合体成分をゲルパーミエーションクロマトグラフで測定し、クロマトグラムに対応する分子量を標準ポリスチレンおよびスチレンオリゴマーを用いて作製した検量線から求め、数平均分子量３０００を超えるものをピーク面積より定量して求められる。検出器としては、例えば波長２５４ｎｍに設定した紫外分光検出器を使用することができる。【００５１】
可撓性フィルム２０の単層または複数層に用いられる熱収縮性フィルムは、ビニル芳香族炭化水素系重合体をさらに含むことが好ましい。光学素子の材料特性や照明装置の構成次第で、耐熱性、剛性、および光学素子との密着性を改善することができるからである。本実施の形態で使用されるビニル芳香族炭化水素系重合体は、（ａ）ビニル芳香族炭化水素重合体、（ｂ）ビニル芳香族炭化水素と（メタ）アクリル酸とからなる共重合体、（ｃ）ビニル芳香族炭化水素と（メタ）アクリル酸エステルとからなる共重合体、（ｄ）ゴム変性スチレン系重合体から選ばれた少なくとも１種の重合体である。【００５２】
（ａ）ビニル芳香族炭化水素重合体としては、例えば上述したようなビニル芳香族炭化水素重合体の単独重合体または２種以上の共重合体が用いられる。特に一般的なものとしてはポリスチレンが挙げられる。【００５３】
（ｂ）ビニル芳香族炭化水素と（メタ）アクリル酸とからなる共重合体は、例えば上述したようなビニル芳香族炭化水素重合体と（メタ）アクリル酸を重合することによって得られるが、重合には各単量体をそれぞれ１種または２種以上選んで用いることができる。（メタ）アクリル酸としては、例えばアクリル酸、メタクリル酸などが挙げられる。【００５４】
（ｃ）ビニル芳香族炭化水素と（メタ）アクリル酸エステルとからなる共重合体は、例えば上述したようなビニル芳香族炭化水素重合体と（メタ）アクリル酸エステルを重合することによって得られるが、重合には各単量体をそれぞれ１種または２種以上選んで用いることができる。（メタ）アクリル酸エステルとしては、例えばアクリル酸メチル、アクリル酸エチル、アクリル酸ブチル、メタクリル酸メチル、メタクリル酸エチル、メタクリル酸ブチルなどが挙げられる。【００５５】
（ｂ）または（ｃ）の共重合体は、ビニル芳香族炭化水素と（メタ）アクリル酸、またはビニル芳香族炭化水素と（メタ）アクリル酸エステルとの質量比が、好ましくは５：９５〜９５：１、より好ましくは７０：３０〜９９：１である単量体混合物を重合して得られる。【００５６】
（ｄ）ゴム変性スチレン系重合体は、例えばビニル芳香族炭化水素もしくはこれと共重合が可能な単量体と各種エラストマーとの混合物を重合することによって得られる。ビニル芳香族炭化水素重合体としては、前記のブロック共重合体で説明したようなビニル芳香族炭化水素重合体が用いられ、これと共重合が可能な単量体としては、（メタ）アクリル酸、（メタ）アクリル酸エステル、アクリロニトリルなどが挙げられる。また、エラストマーとしては、例えばブタジエンゴム、スチレン−ブタジエンゴム、クロロプレンゴムなどが用いられる。特に好ましくは、耐衝撃性ゴム変性スチレン樹脂（ＨＩＰＳ）が挙げられる。【００５７】
ブロック共重合体とビニル芳香族炭化水素系重合体をブレンドして使用する場合には、ブロック共重合体とビニル芳香族炭化水素系重合体との質量比が１００：０〜５０：５０であることが好ましい。ブロック共重合体が５０質量％未満では、フィルムの熱収縮性が不足するからである。【００５８】
可撓性フィルム２０が複数層（多層）フィルムの場合には、少なくとも１層に、ブロック共重合体、またはブロック共重合体とビニル芳香族炭化水素系重合体とが成分として含まれるが、それが含まれない他の層はスチレン系重合体であれば特に制限はない。スチレン系重合体としては、例えば前記のビニル芳香族炭化水素で説明したようなスチレン−ブタジエンブロック共重合体、前記のビニル芳香族炭化水素系重合体、ＡＢＳ樹脂、スチレン−アクリルニトリル共重合体などが挙げられる。これらの樹脂もしくは重合体は、単独で使用してもよいし、併用してもよい。好ましくは、ブロック共重合体を成分として含む少なくとも一層において先に用いられるスチレン−ブタジエンブロック共重合体と異なるスチレン−ブタジエンブロック共重合体、または前記のビニル芳香族炭化水素系重合体である。【００５９】
この可撓性フィルム２０は、積層体１０を包み込んでおり、積層体１０の直下に光源が配置される場合には、少なくとも光源からの光が通過する領域に形成されている。また、可撓性フィルム２０は、光源像分割シート１１、拡散板１２、拡散シート１３および輝度向上フィルム１４の少なくとも１つと接合されていてもよい。【００６０】
また、この可撓性フィルム２０は、図１，図３に示したように、少なくとも拡散板１２の外縁の一部を露出させる１または複数の開口部２０Ａを有している。なお、図１，図３には、開口部２０Ａが拡散板１２の角に設けられているケースが例示されている。以下、本実施の形態では、開口部２０Ａが少なくとも拡散板１２の角に設けられているものとして可撓性フィルム２０および拡散板１２の説明を行う。【００６１】
図３に示したように、拡散板１２の上面１２Ｂ、下面１２Ｃおよび側面１２Ｄのそれぞれの一部が開口部２０Ａから露出しており、開口部２０Ａで露出している部分（露出部分１２Ａ）が、これら上面１２Ｂ、下面１２Ｃおよび側面１２Ｄのうち隣接する面同士が互いに直交する立体形状となっている。【００６２】
ここで、開口部２０Ａで露出している部分（露出部分１２Ａ）の一部が、光学シートパッケージ体１を支持する筐体との位置決めを行うための被支持部１２Ｅとして機能する。筐体の形状にも依るが、例えば、上面１２Ｂおよび下面１２Ｃが被支持部１２Ｅとして機能したり、側面１２Ｄが被支持部１２Ｅとして機能する。【００６３】
なお、露出部分１２Ａは、常に図３に示したような立体形状となっている必要はなく、例えば、図４に示したように、これら上面１２Ｂ、下面１２Ｃおよび側面１２Ｄのうち隣接する面同士が互いに直交する端部を、上面１２Ｂおよび下面１２Ｃの対向方向とほぼ平行な方向から平らに切り落とした立体形状にしてもよい。ただし、この場合には、端部を切り落とすことにより形成された、側面１２Ｄと所定の角度をなす平面形状を有する側面を、光学シートパッケージ体１を支持する筐体との位置決めを行うための被支持部１２Ｆとして機能させることが可能である。【００６４】
また、例えば、図５に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から凹面状に切り落とした立体形状にしてもよい。ただし、この場合には、端部を切り落とすことにより形成された、凹状の曲面形状を有する側面を、光学シートパッケージ体１を支持する筐体との位置決めを行うための被支持部１２Ｇとして機能させることが可能である。【００６５】
また、例えば、図６に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から凸面状に切り落とした立体形状にしてもよい。ただし、この場合には、端部を切り落とすことにより形成された、凸状の曲面形状を有する側面を、光学シートパッケージ体１を支持する筐体との位置決めを行うための被支持部１２Ｈとして機能させることが可能である。【００６６】
また、例えば、図７に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から平らに切り落とすと共に、端部を切り落とすことにより形成された、側面１２Ｄと所定の角度をなす平面形状を有する側面に対して、上面１２Ｂおよび下面１２Ｃの対向方向とほぼ平行な方向に延在する切り欠きを設けた立体形状にしてもよい。ただし、この場合には、端部を切り落とすと共に切り欠くことにより形成された、凹状の切欠き形状を有する側面を、光学シートパッケージ体１を支持する筐体との位置決めを行うための被支持部１２Ｉとして機能させることが可能である。【００６７】
また、例えば、図８に示したように、上面１２Ｂ、下面１２Ｃおよび側面１２Ｄのうち隣接する面同士が互いに直交する端部のうち一の側面１２Ｄに対して、上面１２Ｂおよび下面１２Ｃの対向方向とほぼ平行な方向に延在する切り欠きを設けた立体形状にしてもよい。ただし、この場合には、端部を切り欠くことにより形成された、凹状の切欠き形状を有する側面を、光学シートパッケージ体１を支持する筐体との位置決めを行うための被支持部１２Ｊとして機能させることが可能である。【００６８】
また、例えば、図９に示したように、上面１２Ｂ、下面１２Ｃおよび側面１２Ｄのうち隣接する面同士が互いに直交する端部の上面１２Ｂおよび下面１２Ｃに対して、上面１２Ｂおよび下面１２Ｃを貫通する貫通孔を設けた立体形状にしてもよい。ただし、この場合には、端部に設けられた貫通孔を、光学シートパッケージ体１を支持する筐体との位置決めを行うための被支持部１２Ｋとして機能させることが可能である。なお、この貫通孔の断面形状は、目的に応じて、円形状や、楕円形状、正方形状、一の方向に延在する矩形状、または一の方向に延在する矩形状の角が丸くなった形状などとすることが可能である。【００６９】
また、例えば、図１０に示したように、上面１２Ｂ、下面１２Ｃおよび側面１２Ｄのうち隣接する面同士が互いに直交する端部の側面１２Ｄに対して、上面１２Ｂおよび下面１２Ｃの対向方向とほぼ平行な方向に延在する切り溝を設けた立体形状にしてもよい。ただし、この場合には、端部に設けられた切り溝を、光学シートパッケージ体１を支持する筐体との位置決めを行うための被支持部１２Ｌとして機能させることが可能である。【００７０】
また、例えば、図１１に示したように、上面１２Ｂ、下面１２Ｃおよび側面１２Ｄのうち隣接する面同士が互いに直交する端部を、上面１２Ｂおよび下面１２Ｃの対向方向と交差する方向であって、かつ拡散板１２の中心部から端部に向かう斜め方向から平らに切り落とした立体形状にしてもよい。ただし、この場合には、端部を切り落とすと共に切り欠くことにより形成された、上面１２Ｂと鈍角をなす平面形状を有する側面を、光学シートパッケージ体１を支持する筐体との位置決めを行うための被支持部１２Ｍとして機能させることが可能である。【００７１】
また、例えば、図１２に示したように、上面１２Ｂ、下面１２Ｃおよび側面１２Ｄのうち隣接する面同士が互いに直交する端部を、上面１２Ｂおよび下面１２Ｃの対向方向と交差する方向であって、かつ拡散板１２の端部から中心部に向かう斜め方向から平らに切り落とした立体形状にしてもよい。ただし、この場合には、端部を切り落とすと共に切り欠くことにより形成された、下面１２Ｃと鈍角をなす平面形状を有する側面を、光学シートパッケージ体１を支持する筐体との位置決めを行うための被支持部１２Ｎとして機能させることが可能である。【００７２】
また、例えば、図１３に示したように、上面１２Ｂ、下面１２Ｃおよび側面１２Ｄのうち隣接する面同士が互いに直交する端部のうち一の側面１２Ｄに対して、上面１２Ｂおよび下面１２Ｃの対向方向とほぼ直交する方向に延在する切り欠きを設けた立体形状にしてもよい。ただし、この場合には、端部に設けられた切り欠きを、光学シートパッケージ体１を支持する筐体との位置決めを行うための被支持部１２Ｐとして機能させることが可能である。【００７３】
また、例えば、図１４に示したように、上面１２Ｂ、下面１２Ｃおよび側面１２Ｄのうち隣接する面同士が互いに直交する端部を積層体１０の側面よりも外側に突出させた立体形状にしてもよい。ただし、この場合には、端部の側面１２Ｄのうち可撓性フィルム２０に隣接する側面１２Ｄを、光学シートパッケージ体１を支持する筐体との位置決めを行うための被支持部１２Ｅとして機能させることが可能である。【００７４】
ところで、図１には、開口部２０Ａが拡散板１２の四隅に設けられているケースが例示されているが、必ずしも四隅に設けられている必要はなく、例えば、図１５に示したように拡散板１２の下側の２つの角にだけ設けられていてもよいし、その逆に、例えば図１６に示したように拡散板１２の上側の２つの角にだけ設けられていても良い。また、図１７に示したように、開口部２０Ａが拡散板１２の対角線上にある２つの角にだけ設けられていてもよい。【００７５】
また、拡散板１２の各露出部分１２Ａが被支持部として機能する必要はなく、拡散板１２の各露出部分１２Ａのうち少なくとも２つが被支持部として機能するか、もしくは、拡散板１２の各露出部分１２Ａの１つがその露出部分内において少なくとも２つの被支持部を有していればよい。つまり、拡散板１２を筐体で支持する際に、１つの被支持部によって拡散板１２の面内の一の方向（例えば長辺方向）の動きが抑制され、２つの被支持部（先の被支持部が含まれていても良い）によって拡散板１２の面内の一の方向と交差する方向（例えば短辺方向）の動きが抑制されるように、各被支部部が構成されていればよい。【００７６】
例えば、図１８に示したように、拡散板１２の下側の２つの角に設けられた露出部分１２Ａのうち一方の露出部分の下側の側面１２Ｄを被支持部１２Ｅとして機能させ、他方の露出部分の下側の側面１２Ｄに切り溝を設け、その切り溝を被支持部１２Ｌとして機能させるようにすることが可能である。また、例えば、図１９に示したように、拡散板１２の下側の２つの角に設けられた露出部分１２Ａのうち一方の露出部分の下側の側面１２Ｄを被支持部１２Ｅとして機能させ、他方の露出部分に貫通孔を設け、その貫通孔を被支持部１２Ｋとして機能させるようにすることが可能である。また、例えば、図２０に示したように、拡散板１２の上側の２つの角に設けられた露出部分１２Ａのうち一方の露出部分の水平方向の側面に切り溝を設け、その切り溝を被支持部１２Ｌとして機能させると共に、他方の露出部分にも貫通孔を設け、その貫通孔を被支持部１２Ｋとして機能させるようにすることが可能である。また、例えば、図２１に示したように、拡散板１２の上側の２つの角に設けられた露出部分１２Ａのうち一方の露出部分の水平方向の側面に切り溝を設け、その切り溝を被支持部１２Ｌとして機能させると共に、他方の露出部分の水平方向の側面および垂直方向の側面の両側面に切り溝をそれぞれ設け、その２つの切り溝を被支持部１２Ｌとしてそれぞれ機能させるようにすることが可能である。【００７７】
なお、上記各例では、露出部分１２Ａを拡散板１２の角にだけ設けていたが、拡散板１２の２つの角を含む一の辺（外縁）に設けてもよい。例えば、図示しないが、拡散板１２の下側の２つの角を含む下側の辺（外縁）に露出部分１２Ａを設け、その露出部分１２Ａのうち一方の角の下側の側面１２Ｄを被支持部１２Ｅとして機能させ、他方の角の下側の側面１２Ｄに切り溝を設け、その切り溝を被支持部１２Ｌとして機能させるようにすることが可能である。【００７８】
次に、本実施の形態の光学シートパッケージ体１の光学的な作用について説明する。なお、以下では、光学シートパッケージ体１の直下（光源像分割シート１１の直下）に、光源像分割シート１１の各プリズムの延在方向と互いに平行となるように複数の線状光源が配置されている場合について説明する。【００７９】
光学シートパッケージ体１の直下に配置された各線状光源からの光が光学シートパッケージ体１に入射すると、入射光は光源像分割シート１１で微小光束に分割され、その分割により得られた光源像が拡散板１２および拡散シート１３で拡散され、面内方向の輝度分布が均一化される。輝度の均一化された拡散光は輝度向上フィルム１４で集光され、正面輝度が増大する。【００８０】
ここで、可撓性フィルム２０は、積層体１０を表面のうち、少なくとも光源からの光が通過する領域に形成された可撓性の光学シートであるので、入射光に対して光学的に作用することはなく、入射光の輝度分布を乱すようなことはない。【００８１】
また、この可撓性フィルム２０は、光源像分割シート１１、拡散板１２、拡散シート１３および輝度向上フィルム１４などの各光学シートを包み込むと共に、少なくとも拡散板１２の外縁の一部を露出させる１または複数の開口部２０Ａを有している。さらに、拡散板１２のうち少なくとも１つの開口部２０Ａに露出している露出部分１２Ａに、光学シートパッケージ体１を支持する筐体との位置決めを行うための形状が設けられている。これにより、積層体１０を筐体に対して位置決めする際に、積層体１０のうち拡散板１２だけを筐体で支持し、各光学シートを可撓性フィルム２０で支持することが可能となる。その結果、積層体１０内の各光学シートは積層面内方向に対して個別に伸縮することができるので、しわが発生する虞をなくすることができる。【００８２】
[第２の実施の形態]
図２２は、本発明の第２の実施の形態に係る光学シートパッケージ体２の上面構成の一例を表すものである。この光学シートパッケージ体２は、上記実施の形態と同様、例えば液晶表示パネルと光源との間に配置され、光源の光学特性を改善するために好適に用いられるものである。図２３は、図２２の光学シートパッケージ体２の端部を拡大して表したものである。なお、図２２の光学シートパッケージ体２は、図２の断面構成と同様の断面構成を有している。【００８３】
この光学シートパッケージ体２は、図２に示したように、積層体１０と、可撓性フィルム２０とを備えたものである。なお、以下では、上記実施の形態と同様の構成、作用および効果についての記載を適宜省略し、上記実施の形態との相違点について主に説明する。【００８４】
本実施の形態における可撓性フィルム２０は、図２３に示したように、少なくとも拡散板１２の外縁の一部（側面）を露出させる１または複数の開口部２０Ｂを有している。なお、図２２，図２３には、開口部２０Ｂが拡散板１２の角に設けられているケースが例示されている。以下、本実施の形態では、開口部２０Ａが少なくとも拡散板１２の角に設けられているものとして可撓性フィルム２０および拡散板１２の説明を行う。【００８５】
図２３に示したように、拡散板１２の側面１２Ｄの一部が開口部２０Ｂから露出している。ここで、開口部２０Ｂで露出している部分（露出部分１２Ａ）の一部が、光学シートパッケージ体２を支持する筐体との位置決めを行うための被支持部１２Ｅとして機能する。筐体の形状にも依るが、例えば、垂直方向の側面１２Ｄが被支持部１２Ｅとして機能したり、水平方向の側面１２Ｄが被支持部１２Ｅとして機能する。【００８６】
なお、露出部分１２Ａは、常に図２３に示したような平面形状となっている必要はなく、例えば、図２４に示したように、両側面１２Ｄ同士が互いに直交する端部を、上面１２Ｂおよび下面１２Ｃの対向方向とほぼ平行な方向から平らに切り落とした立体形状にしてもよい。ただし、この場合には、端部を切り落とすことにより形成された、側面１２Ｄと所定の角度をなす平面形状を有する側面を、光学シートパッケージ体２を支持する筐体との位置決めを行うための被支持部１２Ｆとして機能させることが可能である。【００８７】
また、例えば、図２５に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から凹面状に切り落とした立体形状にしてもよい。ただし、この場合には、端部を切り落とすことにより形成された、凹状の曲面形状を有する側面を、光学シートパッケージ体２を支持する筐体との位置決めを行うための被支持部１２Ｇとして機能させることが可能である。【００８８】
また、例えば、図２６に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から凸面状に切り落とした立体形状にしてもよい。ただし、この場合には、端部を切り落とすことにより形成された、凸状の曲面形状を有する側面を、光学シートパッケージ体２を支持する筐体との位置決めを行うための被支持部１２Ｈとして機能させることが可能である。【００８９】
また、例えば、図２７に示したように、上面１２Ｂ、下面１２Ｃおよび側面１２Ｄのうち隣接する面同士が互いに直交する端部を、上面１２Ｂおよび下面１２Ｃの対向方向とほぼ平行な方向から平らに切り落とすと共に、端部を切り落とすことにより形成された、側面１２Ｄと所定の角度をなす平面形状を有する側面に対して、上面１２Ｂおよび下面１２Ｃの対向方向とほぼ平行な方向に延在する切り欠きを設けた立体形状にしてもよい。ただし、この場合には、端部を切り落とすと共に切り欠くことにより形成された、凹状の切欠き形状を有する側面を、光学シートパッケージ体２を支持する筐体との位置決めを行うための被支持部１２Ｉとして機能させることが可能である。【００９０】
また、例えば、図２８に示したように、上面１２Ｂ、下面１２Ｃおよび側面１２Ｄのうち隣接する面同士が互いに直交する端部のうち一の側面１２Ｄに対して、上面１２Ｂおよび下面１２Ｃの対向方向とほぼ平行な方向に延在する切り欠きを設けた立体形状にしてもよい。ただし、この場合には、端部を切り欠くことにより形成された、凹状の切欠き形状を有する側面を、光学シートパッケージ体２を支持する筐体との位置決めを行うための被支持部１２Ｊとして機能させることが可能である。【００９１】
また、例えば、図２９に示したように、上面１２Ｂ、下面１２Ｃおよび側面１２Ｄのうち隣接する面同士が互いに直交する端部の側面１２Ｄに対して、上面１２Ｂおよび下面１２Ｃの対向方向とほぼ平行な方向に延在する切り溝を設けた立体形状にしてもよい。ただし、この場合には、端部に設けられた切り溝を、光学シートパッケージ体２を支持する筐体との位置決めを行うための被支持部１２Ｌとして機能させることが可能である。【００９２】
また、例えば、図３０に示したように、上面１２Ｂ、下面１２Ｃおよび側面１２Ｄのうち隣接する面同士が互いに直交する端部を、上面１２Ｂおよび下面１２Ｃの対向方向と交差する方向であって、かつ拡散板１２の中心部から端部に向かう斜め方向から平らに切り落とした立体形状にしてもよい。ただし、この場合には、端部を切り落とすと共に切り欠くことにより形成された、上面１２Ｂと鈍角をなす平面形状を有する側面を、光学シートパッケージ体２を支持する筐体との位置決めを行うための被支持部１２Ｍとして機能させることが可能である。【００９３】
また、例えば、図３１に示したように、上面１２Ｂ、下面１２Ｃおよび側面１２Ｄのうち隣接する面同士が互いに直交する端部を、上面１２Ｂおよび下面１２Ｃの対向方向と交差する方向であって、かつ拡散板１２の端部から中心部に向かう斜め方向から平らに切り落とした立体形状にしてもよい。ただし、この場合には、端部を切り落とすと共に切り欠くことにより形成された、下面１２Ｃと鈍角をなす平面形状を有する側面を、光学シートパッケージ体２を支持する筐体との位置決めを行うための被支持部１２Ｎとして機能させることが可能である。【００９４】
また、例えば、図３２に示したように、上面１２Ｂ、下面１２Ｃおよび側面１２Ｄのうち隣接する面同士が互いに直交する端部のうち一の側面１２Ｄに対して、上面１２Ｂおよび下面１２Ｃの対向方向とほぼ直交する方向に延在する切り欠きを設けた立体形状にしてもよい。ただし、この場合には、端部に設けられた切り欠きを、光学シートパッケージ体２を支持する筐体との位置決めを行うための被支持部１２Ｐとして機能させることが可能である。【００９５】
また、例えば、図３３に示したように、上面１２Ｂ、下面１２Ｃおよび側面１２Ｄのうち隣接する面同士が互いに直交する端部を積層体１０の側面よりも外側に突出させた立体形状にしてもよい。ただし、この場合には、端部の側面１２Ｄのうち可撓性フィルム２０に隣接する側面１２Ｄを、光学シートパッケージ体２を支持する筐体との位置決めを行うための被支持部１２Ｅとして機能させることが可能である。【００９６】
ところで、図２２には、開口部２０Ｂが拡散板１２の四隅に設けられているケースが例示されているが、必ずしも四隅に設けられている必要はなく、例えば、図３４に示したように拡散板１２の下側の２つの角にだけ設けられていてもよいし、その逆に、例えば図３５に示したように拡散板１２の上側の２つの角にだけ設けられていても良い。また、図３６に示したように、開口部２０Ｂが拡散板１２の対角線上にある２つの角にだけ設けられていてもよい。【００９７】
また、拡散板１２の各露出部分１２Ａが被支持部として機能する必要はなく、拡散板１２の各露出部分１２Ａのうち少なくとも２つが被支持部として機能するか、もしくは、拡散板１２の各露出部分１２Ａの１つがその露出部分内において少なくとも２つの被支持部を有していればよい。つまり、拡散板１２を筐体で支持する際に、１つの被支持部によって拡散板１２の面内の一の方向（例えば長辺方向）の動きが抑制され、２つの被支持部（先の被支持部が含まれていても良い）によって拡散板１２の面内の一の方向と交差する方向（例えば短辺方向）の動きが抑制されるように、各被支部部が構成されていればよい。【００９８】
例えば、図３７に示したように、拡散板１２の下側の２つの角に設けられた露出部分１２Ａのうち一方の露出部分の下側の側面１２Ｄを被支持部１２Ｅとして機能させ、他方の露出部分の下側の側面１２Ｄに切り溝を設け、その切り溝を被支持部１２Ｌとして機能させるようにすることが可能である。また、例えば、図３８に示したように、拡散板１２の上側の２つの角に設けられた露出部分１２Ａのうち一方の露出部分の水平方向の側面に切り溝を設け、その切り溝を被支持部１２Ｌとして機能させると共に、他方の露出部分の水平方向の側面および垂直方向の側面の両側面に切り溝をそれぞれ設け、その２つの切り溝を被支持部１２Ｌとしてそれぞれ機能させるようにすることが可能である。【００９９】
なお、上記各例では、露出部分１２Ａを拡散板１２の角にだけ設けていたが、拡散板１２の２つの角を含む一の辺（外縁）に設けてもよい。例えば、図示しないが、拡散板１２の下側の２つの角を含む下側の辺（外縁）に露出部分１２Ａを設け、その露出部分１２Ａのうち一方の角の下側の側面１２Ｄを被支持部１２Ｅとして機能させ、他方の角の下側の側面１２Ｄに切り溝を設け、その切り溝を被支持部１２Ｌとして機能させるようにすることが可能である。【０１００】
本実施の形態の光学シートパッケージ体２では、可撓性フィルム２０は、光源像分割シート１１、拡散板１２、拡散シート１３および輝度向上フィルム１４などの各光学シートを包み込むと共に、少なくとも拡散板１２の外縁の一部（側面）を露出させる１または複数の開口部２０Ｂを有している。さらに、拡散板１２のうち少なくとも１つの開口部２０Ｂに露出している露出部分１２Ａに、光学シートパッケージ体２を支持する筐体との位置決めを行うための形状が設けられている。これにより、積層体１０を筐体に対して位置決めする際に、積層体１０のうち拡散板１２だけを筐体で支持し、各光学シートを可撓性フィルム２０で支持することが可能となる。その結果、積層体１０内の各光学シートは積層面内方向に対して個別に伸縮することができるので、しわが発生する虞をなくすることができる。【０１０１】
[第３の実施の形態]
図３９は、本発明の第３の実施の形態に係る光学シートパッケージ体３の上面構成の一例を表すものである。この光学シートパッケージ体３は、上記実施の形態と同様、例えば液晶表示パネルと光源との間に配置され、光源の光学特性を改善するために好適に用いられるものである。図４０は、図３９の光学シートパッケージ体３の端部を拡大して表したものである。なお、図３９の光学シートパッケージ体３は、図２の断面構成と同様の断面構成を有している。【０１０２】
この光学シートパッケージ体３は、図２に示したように、積層体１０と、可撓性フィルム２０とを備えたものである。なお、以下では、上記実施の形態と同様の構成、作用および効果についての記載を適宜省略し、上記実施の形態との相違点について主に説明する。【０１０３】
本実施の形態における可撓性フィルム２０は、図４０に示したように、少なくとも拡散板１２の外縁の一部を露出させる１または複数の開口部２０Ｃを有している。なお、図３９，図４０には、開口部２０Ｃが拡散板１２の一の辺（外縁）の中途（拡散板１２の底辺の中央部分）に設けられているケースが例示されている。以下、本実施の形態では、開口部２０Ｃが少なくとも拡散板１２の一の辺の中途に設けられているものとして可撓性フィルム２０および拡散板１２の説明を行う。【０１０４】
図４０示したように、拡散板１２の上面１２Ｂ、下面１２Ｃおよび側面１２Ｄのそれぞれの一部が開口部２０Ｃから露出（突出）しており、開口部２０Ｃで露出している部分（露出部分１２Ａ）が、これら上面１２Ｂ、下面１２Ｃおよび側面１２Ｄのうち隣接する面同士が互いに直交する立体形状（凸状の方形状）となっている。【０１０５】
ここで、開口部２０Ｃで露出している部分（露出部分１２Ａ）の一部が、光学シートパッケージ体３を支持する筐体との位置決めを行うための被支持部１２Ｑとして機能する。筐体の形状にも依るが、例えば、上面１２Ｂおよび下面１２Ｃが被支持部１２Ｑとして機能したり、側面１２Ｄが被支持部１２Ｑとして機能する。【０１０６】
なお、露出部分１２Ａは、常に図４０に示したような立体形状となっている必要はなく、例えば、図４１に示したように、拡散板１２の一の辺を、上面１２Ｂおよび下面１２Ｃの対向方向とほぼ平行な方向から凹面状に切り落とした立体形状にしてもよい。ただし、この場合には、拡散板１２の一の辺に設けられた凹状の曲面形状を有する側面を、光学シートパッケージ体３を支持する筐体との位置決めを行うための被支持部１２Ｒとして機能させることが可能である。【０１０７】
また、例えば、図４２に示したように、拡散板１２の一の辺を、上面１２Ｂおよび下面１２Ｃの対向方向とほぼ平行な方向から三角柱状に切り落とした立体形状にしてもよい。ただし、この場合には、拡散板１２の一の辺に設けられた三角柱状の曲面形状を有する側面を、光学シートパッケージ体３を支持する筐体との位置決めを行うための被支持部１２Ｓとして機能させることが可能である。【０１０８】
また、例えば、図４３に示したように、拡散板１２の一の辺の側面１２Ｄに対して、上面１２Ｂおよび下面１２Ｃの対向方向とほぼ平行な方向に延在する切り溝を設けた立体形状にしてもよい。ただし、この場合には、拡散板１２の一の辺に設けられた切り溝を、光学シートパッケージ体３を支持する筐体との位置決めを行うための被支持部１２Ｔとして機能させることが可能である。【０１０９】
また、例えば、図４４に示したように、拡散板１２の一の辺の側面１２Ｄに対して、上面１２Ｂおよび下面１２Ｃの対向方向とほぼ平行な方向に延在する切り溝を設けると共に、その切り溝の入り口付近に、入り口を狭める凸形状を設けた立体形状（嵌め込み形状）にしてもよい。ただし、この場合には、拡散板１２の一の辺に設けられた嵌め込み形状を、光学シートパッケージ体３を支持する筐体との位置決めを行うための被支持部１２Ｕとして機能させることが可能である。【０１１０】
また、例えば、図４５に示したように、拡散板１２の一の辺を開口部２０Ｃから突出させると共に、その突出部分の先端部をその突出部分の根元の部分よりも広げた台形状の立体形状にしてもよい。ただし、この場合には、台形状の立体形状を、光学シートパッケージ体３を支持する筐体との位置決めを行うための被支持部１２Ｖとして機能させることが可能である。【０１１１】
本実施の形態の光学シートパッケージ体３では、可撓性フィルム２０は、光源像分割シート１１、拡散板１２、拡散シート１３および輝度向上フィルム１４などの各光学シートを包み込むと共に、少なくとも拡散板１２の一の辺（外縁）の中途を露出させる１または複数の開口部２０Ｃを有している。さらに、拡散板１２のうち少なくとも１つの開口部２０Ｃに露出している露出部分１２Ａに、光学シートパッケージ体３を支持する筐体との位置決めを行うための形状が設けられている。これにより、積層体１０を筐体に対して位置決めする際に、積層体１０のうち拡散板１２だけを筐体で支持し、各光学シートを可撓性フィルム２０で支持することが可能となる。その結果、積層体１０内の各光学シートは積層面内方向に対して個別に伸縮することができるので、しわが発生する虞をなくすることができる。【０１１２】
[第４の実施の形態]
図４６は、本発明の第４の実施の形態に係る表示装置１００の断面構成の一例を表すものである。この表示装置１００は、液晶表示パネル５と、液晶表示パネル５の背後に配置された光源４と、これら液晶表示パネル５および光源４との間に配置された光学シートパッケージ体１、２または３を備えており、液晶表示パネル５の表面が観察者（図示せず）側に向けられている。なお、本実施の形態では、便宜的に、液晶表示パネル５はその表面が水平面と直交するように配置されているものとする。【０１１３】
液晶表示パネル５は、図示しないが、観察側の透明基板と光源４側の透明基板との間に液晶層を有する積層構造となっている。具体的には、観察側から順に、偏光板、透明基板、カラーフィルタ、透明電極、配向膜、液晶層、配向膜、透明画素電極、透明基板および偏光板を有している。【０１１４】
偏光板は、光学シャッタの一種であり、ある一定の振動方向の光（偏光）のみを通過させる。これら偏光板はそれぞれ、偏光軸が互いに９０度異なるように配置されており、これにより光源４からの射出光が、液晶層を介して透過し、あるいは遮断されるようになっている。透明基板は、可視光に対して透明な基板、例えば板ガラスからなる。なお、光源４側の透明基板には、透明画素電極に電気的に接続された駆動素子としてのＴＦＴ（Thin Film Transistor；薄膜トランジスタ）および配線などを含むアクティブ型の駆動回路が形成されている。カラーフィルタは、光源４からの射出光を例えば、赤（Ｒ）、緑（Ｇ）および青（Ｂ）の三原色にそれぞれ色分離するためのカラーフィルタを配列して構成されている。透明電極は、例えばＩＴＯ（Indium Tin Oxide；酸化インジウムスズ）からなり、共通の対向電極として機能する。配向膜は、例えばポリイミドなどの高分子材料からなり、液晶に対して配向処理を行う。液晶層は、例えば、ＶＡ（Vertical Alignment）モード、ＴＮ（Twisted Nematic）モードまたはＳＴＮ（Super Twisted Nematic）モードの液晶からなり、駆動回路からの印加電圧により、光源４からの射出光を各画素ごとに透過または遮断する機能を有する。透明画素電極は、例えばＩＴＯからなり、各画素ごとの電極として機能する。【０１１５】
光源４は、例えば、複数の線状光源が等間隔（例えば２０μｍ間隔）で並列配置されたものである。線状光源は、典型的には、冷陰極管（ＣＣＦＬ；Cold Cathode Fluorescent Lamp）と呼ばれる冷陰極蛍光ランプであるが、発光ダイオード（ＬＥＤ；Light Emitting Diode）などの点状光源を直線状に配置したものであってもよい。各線状光源は、例えば水平方向に延在して配置されている。【０１１６】
また、この表示装置１００は、ボトムシャーシ６と、ボトムシャーシ６上に配置されたミドルシャーシ７およびトップシャーシ８とを備えている。【０１１７】
ボトムシャーシ６は、光源４および光学シートパッケージ体１、２または３を側面および裏面（観察者とは反対側の面）から支持するものである。このボトムシャーシ６は、光学シートパッケージ体１、２または３を裏面から支持する梁を有している。この梁は、光学シートパッケージ体１、２または３の外縁部分を除く部分との対向領域に開口を有する環状の形状を有している。また、このボトムシャーシ６は、光学シートパッケージ体１、２または３の側面と所定の間隔を介して配置された側壁を有している。この側壁には、後述する様々な支持部が設けられており、その支持部によって光学シートパッケージ体１、２または３を垂直方向および水平方向（場合によっては更に積層方向）から支持するようになっている。【０１１８】
また、このボトムシャーシ６の内壁（特に裏面）には、図示しない反射シートが設けられており、光源４からの光を光学シートパッケージ体１、２または３側に向けて反射するようになっている。【０１１９】
ミドルシャーシ７は、ボトムシャーシ６で支持された光学シートパッケージ体１、２または３を表側（観察者側）から支持するものである。このミドルシャーシ７は、光学シートパッケージ体１、２または３のうち外縁部分を除く部分との対向領域に開口を有する環状の梁を有するフレームであり、この梁の裏面（観察者とは反対側の面）側で光学シートパッケージ体１、２または３を支持し、この梁の表側（観察者側）で液晶表示パネル５を支持するようになっている。また、このミドルシャーシ７は、その梁の端縁から裏面（観察者とは反対側の面）側に延在すると共に表側（観察者側）にも延在する環状の側壁を有しており、側壁のうち表側に延在する部分が液晶表示パネル５の側面と接しており、側壁のうち裏面側に延在する部分がボトムシャーシ６の外壁と接続されている。【０１２０】
トップシャーシ８は、ミドルシャーシ７で支持された液晶表示パネル５を表側（観察者側）から支持するものである。このトップシャーシ８は、液晶表示パネル５のうち外縁部分を除く部分との対向領域に開口を有する環状の梁を有するフレームであり、この梁の裏面（観察者とは反対側の面）側で液晶表示パネル５を支持するようになっている。また、このトップシャーシ８は、その梁の端縁から裏面（観察者とは反対側の面）側に延在する環状の側壁を有しており、この側壁がミドルシャーシ７の側壁と接続されている。【０１２１】
光学シートパッケージ体１、２または３は、拡散板１２の露出部分１２Ａにおいて、ミドルシャーシ７の側壁で支持されている。光学シートパッケージ体１内に含まれる拡散板１２の上面１２Ｂ、下面１２Ｃおよび側面１２Ｄのそれぞれの一部が拡散板１２の端部において開口部２０Ａから露出している場合に、例えば、図４７に示したように、開口部２０Ａで露出している部分（露出部分１２Ａ）の上面１２Ｂがミドルシャーシ７の梁から延在する支持部７Ａで支持されると共に、露出部分１２Ａの下面１２Ｃがボトムシャーシ６の梁から延在する支持部６Ａで支持されているときには、この露出部分１２Ａにおいて、支持部６Ａ，７Ａで挟まれた積層方向の動きが制限される。なお、支持部６Ａ，７Ａが拡散板１２を押さえつける圧力の大きさが大きい場合には、積層方向だけでなく、面内方向（水平方向および垂直方向）の動きも制限される。【０１２２】
また、例えば、図４８に示したように、露出部分１２Ａの垂直方向の側面１２Ｄがボトムシャーシ６の側壁から延在する支持部６Ｂで支持されているときには、この露出部分１２Ａにおいて、支持部６Ｂによって面内方向（垂直方向）の動きが制限される。【０１２３】
また、例えば、図４９に示したように、露出部分１２Ａの被支持部１２Ｆがボトムシャーシ６の側壁に設けられたバネ状の支持部６Ｃで支持されているときには、この露出部分１２Ａにおいて、支持部６Ｃによって面内方向（水平方向および垂直方向）の動きが制限される。【０１２４】
また、例えば、図５０に示したように、露出部分１２Ａの被支持部１２Ｆがボトムシャーシ６の裏面から延在する柱状のピン（支持部６Ｄ）で支持されているときには、この露出部分１２Ａにおいて、支持部６Ｄによって面内方向（水平方向および垂直方向）の動きが制限される。【０１２５】
また、例えば、図５１に示したように、露出部分１２Ａの被支持部１２Ｆがボトムシャーシ６の側壁に設けられると共に凸側を被支持部１２Ｆに向けて配置された弓状の弾性体（支持部６Ｅ）で支持されているときには、この露出部分１２Ａにおいて、支持部６Ｅによって面内方向（水平方向および垂直方向）の動きが制限される。【０１２６】
また、例えば、図５２に示したように、露出部分１２Ａの被支持部１２Ｆがボトムシャーシ６の側壁から延在する柱状のピン（支持部６Ｆ）で支持されているときには、この露出部分１２Ａにおいて、支持部６Ｆによって面内方向（水平方向および垂直方向）の動きが制限される。【０１２７】
また、例えば、図５３に示したように、露出部分１２Ａの被支持部１２Ｆがボトムシャーシ６の側壁に設けられた低反発性のウレタンなどからなる支持部６Ｇで支持されているときには、この露出部分１２Ａにおいて、支持部６Ｇによって面内方向（水平方向および垂直方向）の動きが制限される。【０１２８】
また、例えば、図５４に示したように、露出部分１２Ａの被支持部１２Ｇがボトムシャーシ６の底面から延在する柱状のピン（支持部６Ｈ）で支持されているときには、この露出部分１２Ａにおいて、支持部６Ｈによって面内方向（水平方向および垂直方向）の動きが制限される。【０１２９】
また、例えば、図５５に示したように、露出部分１２Ａの被支持部１２Ｈがボトムシャーシ６の側壁に設けられると共に凹側を被支持部１２Ｈに向けて配置された弓状の弾性体（支持部６Ｉ）で支持されているときには、この露出部分１２Ａにおいて、支持部６Ｉによって面内方向（水平方向および垂直方向）の動きが制限される。【０１３０】
また、例えば、図５６に示したように、露出部分１２Ａの被支持部１２Ｉがボトムシャーシ６の側壁に設けられた柱状のピン（支持部６Ｊ）で支持されているときには、この露出部分１２Ａにおいて、支持部６Ｊによって面内方向（水平方向および垂直方向）の動きが制限される。【０１３１】
また、例えば、図５７に示したように、露出部分１２Ａの被支持部１２Ｊがボトムシャーシ６の側壁に設けられたバネ状の引っ掛けピン（支持部６Ｋ）で支持されているときには、この露出部分１２Ａにおいて、支持部６Ｋによって面内方向（水平方向および垂直方向）の動きが制限される。【０１３２】
また、例えば、図５８に示したように、露出部分１２Ａの被支持部１２Ｋがボトムシャーシ６の底面から延在すると共にその断面形状および大きさが被支持部１２Ｋの断面形状および大きさとほぼ同一となっている柱状のピン（支持部６Ｌ）で支持されているときには、この露出部分１２Ａにおいて、支持部６Ｌによって面内方向（水平方向および垂直方向）の動きが制限される。なお、支持部６Ｌと被支持部１２Ｋとの間に水平方向に隙間ができるようにした場合には、支持部６Ｌによって面内方向（水平方向）の動きが制限される。【０１３３】
また、例えば、図５９に示したように、露出部分１２Ａの被支持部１２Ｌがボトムシャーシ６の底面から延在する柱状のピン（支持部６Ｍ）で支持されているときには、この露出部分１２Ａにおいて、支持部６Ｍによって面内方向（水平方向および垂直方向のいずれか一方（図５９では垂直方向））の動きが制限される。【０１３４】
また、例えば、図６０（Ａ），（Ｂ）に示したように、露出部分１２Ａの被支持部１２Ｍがボトムシャーシ６の底面に設けられた支持部６Ｎで支持されているときには、この露出部分１２Ａにおいて、支持部６Ｎによって面内方向（水平方向および垂直方向）だけでなく、積層方向の動きも制限される。なお、支持部６Ｎは、図６０（Ｂ）に示したように、被支持部１２Ｍと対向する傾斜面を有する台形状の部材６Ｎ１と、部材６Ｎ１の傾斜面以外の部位に連結された連結部６Ｎ２と、連結部６Ｎ２を介して部材６Ｎ１の位置を調整する調整部６Ｎ３とを有するものである。【０１３５】
また、例えば、図６１（Ａ），（Ｂ）に示したように、露出部分１２Ａの被支持部１２Ｎがボトムシャーシ６の底面に設けられた支持部６Ｐで支持されているときには、この露出部分１２Ａにおいて、支持部６Ｐによって面内方向（水平方向および垂直方向）だけでなく、積層方向の動きも制限される。なお、支持部６Ｐは、図６１（Ｂ）に示したように、被支持部１２Ｎと対向する傾斜面を有する台形状の部材６Ｐ１と、部材６Ｐ１の傾斜面以外の部位に連結された連結部６Ｐ２と、連結部６Ｐ２を介して部材６Ｐ１の位置を調整する調整部６Ｐ３とを有するものである。【０１３６】
また、例えば、図６２（Ａ），（Ｂ）に示したように、露出部分１２Ａの被支持部１２Ｐがボトムシャーシ６の側面に設けられた柱状のピン（支持部６Ｑ）で支持されているときには、この露出部分１２Ａにおいて、支持部６Ｑによって面内方向（水平方向および垂直方向のいずれか一方（図６２（Ａ），（Ｂ）では垂直方向））の動きだけでなく、積層方向の動きも制限される。【０１３７】
また、例えば、図６３に示したように、露出部分１２Ａの被支持部１２Ｅ（垂直方向の下側の側面１２Ｄ）がボトムシャーシ６の底面から延在する柱状のピン（支持部６Ｒ）で支持されているときには、この露出部分１２Ａにおいて、支持部６Ｒによって面内方向（垂直方向）の動きが制限される。【０１３８】
また、例えば、図６４に示したように、図６３の構成に加えて、露出部分１２Ａの被支持部１２Ｅ（垂直方向の上側の側面１２Ｄ）がボトムシャーシ６の側面から延在する柱状のピン（支持部６Ｓ）で支持されているときには、この露出部分１２Ａにおいて、支持部６Ｒによって面内方向（垂直方向）の動きが制限され、支持部６Ｓによって面内方向（水平方向）の動きが制限される。【０１３９】
なお、光学シートパッケージ体２内に含まれる拡散板１２の一部（側面）が拡散板１２の端部において開口部２０Ｂから露出している場合についても、光学シートパッケージ体１の場合と同様に、支持部６Ｒによって面内方向（水平方向，垂直方向）の動きや、積層方向の動きが制限される。【０１４０】
また、拡散板１２が光学シートパッケージ体３内に含まれる拡散板１２の一の辺（外縁）の中途（拡散板１２の底辺の中央部分）において開口部２０Ｃから露出している場合に、例えば、図６５に示したように、開口部２０Ｃで露出している部分（露出部分１２Ａ）の側面１２Ｄがボトムシャーシ６の底面から延在する支持部６Ｂで支持されているときには、この露出部分１２Ａにおいて、面内方向（垂直方向）の動きが制限される。【０１４１】
また、例えば、図６６に示したように、露出部分１２Ａの被支持部１２Ｒがボトムシャーシ６の側面から延在する支持部６Ｓで支持されているときには、この露出部分１２Ａにおいて、面内方向（垂直方向）の動きが制限される。【０１４２】
また、例えば、図６７に示したように、露出部分１２Ａの被支持部１２Ｓがボトムシャーシ６の側面から延在する支持部６Ｔで支持されているときには、この露出部分１２Ａにおいて、面内方向（水平方向または垂直方向）の動きが制限される。【０１４３】
また、例えば、図６８に示したように、露出部分１２Ａの被支持部１２Ｔがボトムシャーシ６の側面から延在する支持部６Ｕで支持されているときには、この露出部分１２Ａにおいて、面内方向（水平方向または垂直方向）の動きが制限される。【０１４４】
また、例えば、図６９に示したように、露出部分１２Ａの被支持部１２Ｕがボトムシャーシ６の側面から延在する支持部６Ｖで支持されているときには、この露出部分１２Ａにおいて、面内方向（水平方向または垂直方向）の動きが制限される。なお、この場合には、支持部６Ｖは被支持部１２Ｕから抜けにくくなっているので、光学シートパッケージ体３がボトムシャーシ６から誤って脱落するのを防止することができる。【０１４５】
また、例えば、図７０に示したように、露出部分１２Ａの被支持部１２Ｕがボトムシャーシ６の底面から延在する支持部６Ｗで支持されているときには、この露出部分１２Ａにおいて、面内方向（水平方向または垂直方向）の動きが制限される。なお、この場合にも、支持部６Ｗは被支持部１２Ｕから抜けにくくなっているので、光学シートパッケージ体３がボトムシャーシ６から誤って脱落するのを防止することができる。【０１４６】
また、例えば、図７１に示したように、露出部分１２Ａの被支持部１２Ｖがボトムシャーシ６の側壁から延在する一対の支持部６Ｘで水平方向の両側面から支持されているときには、この露出部分１２Ａにおいて、面内方向（水平方向または垂直方向）の動きが制限される。なお、この場合にも、被支持部１２Ｖが一対の支持部６Ｘから抜けにくくなっているので、光学シートパッケージ体３がボトムシャーシ６から誤って脱落するのを防止することができる。【０１４７】
次に、本実施の形態の表示装置１００において画像を表示する際の基本動作について説明する。【０１４８】
各光源４から射出された光は直接またはボトムシャーシ６の反射シートで反射されて光学シートパッケージ体１に入射する。光学シートパッケージ体１への入射光は光源像分割シート１１で微小光束に分割され、その分割により得られた光源像が拡散板１２および拡散シート１３で拡散され、面内方向の輝度分布が均一化される。輝度の均一化された拡散光は輝度向上フィルム１４で集光され、正面輝度が増大する。【０１４９】
このようにして光学シートパッケージ体１を透過した高輝度かつ均一な光が液晶表示パネル５に入射すると、観察者側とは反対側の偏光板の偏光軸と交差する偏光成分が偏光板で吸収され、偏光板の偏光軸と平行な偏光成分が偏光板を透過する。偏光板を透過した直線偏光は各画素電極に入射し、液晶層において各画素電極と対向電極との間に印加された電圧に応じて変調され、カラーフィルタでさらに色分離され、観察者側の偏光板に入射する。偏光板に入射した光のうち偏光板の偏光軸と交差する偏光成分が偏光板で吸収され、偏光板の偏光軸と平行な偏光成分が偏光板を透過してパネル正面に画像を形成する。このようにして、表示装置１００において画像が表示される。【０１５０】
ここで、光学シートパッケージ体１内の可撓性フィルム２０は、積層体１０を表面のうち、少なくとも光源４からの光が通過する領域に形成された可撓性の光学シートであるので、入射光に対して光学的に作用することはなく、入射光の輝度分布を乱すようなことはない。【０１５１】
また、本実施の形態の表示装置１００では、この可撓性フィルム２０は、光源像分割シート１１、拡散板１２、拡散シート１３および輝度向上フィルム１４などの各光学シートを包み込むと共に、少なくとも拡散板１２の外縁の一部を露出させる１または複数の開口部２０Ａ，２０Ｂまたは２０Ｃを有している。さらに、拡散板１２のうち少なくとも１つの開口部２０Ａ，２０Ｂまたは２０Ｃに露出している露出部分１２Ａに、光学シートパッケージ体１，２または３を支持するシャーシ（ボトムシャーシ６およびミドルシャーシ７）との位置決めを行うための形状が設けられている。これにより、積層体１０をシャーシに対して位置決めする際に、積層体１０のうち拡散板１２だけをシャーシで支持し、各光学シートを可撓性フィルム２０で支持することが可能となる。その結果、積層体１０内の各光学シートは積層面内方向に対して個別に伸縮することができるので、しわが発生する虞をなくすることができる。【０１５２】
[第５の実施の形態]
図７２は、本発明の第５の実施の形態に係る表示装置２００の断面構成の一例を表すものである。この表示装置２００は、第４の実施の形態と同様、液晶表示パネル５と、液晶表示パネル５の背後に配置された光源４と、これら液晶表示パネル５および光源４との間に配置された光学シートパッケージ体１、２または３を備えたものであるが、第４の実施の形態におけるボトムシャーシ６とミドルシャーシ７とが一体化されたボトムシャーシ６を備えている点で、第４の実施の形態とは相違する。そこで、以下では、第４の実施の形態と共通する構成、作用および効果についての記載を適宜省略し、第４の実施の形態と異なる部分について詳細に説明する。【０１５３】
本実施の形態のボトムシャーシ６は、光源４、光学シートパッケージ体１、２または３および液晶表示パネル５を支持するものである。このボトムシャーシ６は、光学シートパッケージ体１、２または３を裏面（観察者とは反対側の面）から支持する梁と、光学シートパッケージ体１、２または３を表面（観察者側の面）から支持する梁とを有している。これらの梁は共に、光学シートパッケージ体１、２または３の外縁部分を除く部分との対向領域に開口を有する環状の形状を有している。また、このボトムシャーシ６は、光学シートパッケージ体１、２または３の側面と所定の間隔を介して配置された側壁を有している。この側壁には、後述する様々な支持部が設けられており、その支持部によって光学シートパッケージ体１、２または３を垂直方向および水平方向（場合によっては更に積層方向）から支持するようになっている。【０１５４】
また、この側壁には、光学シートパッケージ体１、２または３の一の側面または互いに隣接する２つの側面との対向部分を取り外しすることの可能な蓋６０が設けられており、蓋６０を取り外した状態で、光学シートパッケージ体１、２または３を、蓋６０を取り外した部分（ボトムシャーシ６の側面）から挿入（スロットイン）することが可能となっている。【０１５５】
例えば、蓋６０をボトムシャーシ６の垂直上面側に設けた場合には、図７３，図７４，図７５に示したように、光学シートパッケージ体１、２または３を、ボトムシャーシ６の垂直上面側から挿入することが可能である。また、例えば、蓋６０をボトムシャーシ６の垂直下面側に設けた場合には、図７６，図７７，図７８，図７９に示したように、光学シートパッケージ体１、２または３を、ボトムシャーシ６の垂直下面側から挿入することが可能である。【０１５６】
次に、光学シートパッケージ体１、２または３をスロットインするのに適した拡散板１２の構成例について説明する。【０１５７】
開口部２０Ａが少なくとも拡散板１２の角に設けられている光学シートパッケージ体１を垂直上面からスロットインする場合には、例えば、図７３に示したように、拡散板１２の上側の２つの角に設けられた露出部分１２Ａに、被支持部１２Ｊをそれぞれ１つずつ設けると共に、拡散板１２の下側の２つの角に設けられた露出部分１２Ａに、被支持部１２Ｋをそれぞれ１つずつ設け、ボトムシャーシ６の側壁の上側に、被支持部１２Ｊと対応して支持部６Ｋを設けると共に、ボトムシャーシ６の底面の下側に、被支持部１２Ｋと対応して支持部６Ｌを設けることが可能である。【０１５８】
また、例えば、図７４に示したように、拡散板１２の上側の２つの角に設けられた露出部分１２Ａに、被支持部１２Ｊをそれぞれ１つずつ設けると共に、拡散板１２の下側の２つの角に設けられた露出部分１２Ａの水平方向の側面に、被支持部１２Ｌをそれぞれ１つずつ設け、ボトムシャーシ６の側壁の上側に、被支持部１２Ｊと対応して支持部６Ｋを設けると共に、ボトムシャーシ６の底面の下側に、被支持部１２Ｌと対応して支持部６Ｍを設けることが可能である。【０１５９】
また、例えば、図７５に示したように、拡散板１２の四隅に設けられた露出部分１２Ａに、被支持部１２Ｊをそれぞれ１つずつ設け、ボトムシャーシ６の側壁の上側および下側に、被支持部１２Ｊと対応して支持部６Ｋを設けることが可能である。【０１６０】
次に、開口部２０Ａが少なくとも拡散板１２の角に設けられている光学シートパッケージ体１を垂直下面からスロットインする場合には、例えば、図７６に示したように、拡散板１２の上側の一方の角に設けられた露出部分１２Ａの垂直方向の側面に被支持部１２Ｌを設けると共に、それに隣接して被支持部１２Ｋを設け、拡散板１２の上側の他方の角に設けられた露出部分１２Ａに、被支持部１２Ｋを設け、拡散板１２の下側の２つの角に設けられた露出部分１２Ａの垂直方向の側面には、被支持部１２Ｅをそれぞれ１つずつ設け、ボトムシャーシ６の底面の上側に被支持部１２Ｋと対応して支持部６Ｌを設け、ボトムシャーシ６の側壁の上側に被支持部１２Ｌと対応して凸形状の呼び込み部６Ｙを設け、ボトムシャーシ６の蓋６０に、被支持部１２Ｋに対応して凸形状の支持部（図示せず）を設けることが可能である。【０１６１】
また、例えば、図７７に示したように、拡散板１２の上側の一方の角に設けられた露出部分１２Ａの垂直方向および水平方向の両側面に被支持部１２Ｌをそれぞれ１つずつ設け、拡散板１２の上側の他方の角に設けられた露出部分１２Ａに、水平方向に延在する断面を有する孔からなる被支持部１２Ｋを設け、拡散板１２の下側の２つの角に設けられた露出部分１２Ａの垂直方向の側面には、被支持部１２Ｅをそれぞれ１つずつ設け、ボトムシャーシ６の底面の上側に、露出部分１２Ａの水平方向の側面に設けられた被支持部１２Ｌと対応して支持部６Ｌを設けると共に被支持部１２Ｋと対応して支持部６Ｌを設け、ボトムシャーシ６の側壁の上側に、露出部分１２Ａの垂直方向の側面に設けられた被支持部１２Ｌと対応して支持部６Ｙを設け、ボトムシャーシ６の蓋６０に、被支持部１２Ｋに対応して凸形状の支持部（図示せず）を設けることが可能である。【０１６２】
また、例えば、図７８に示したように、拡散板１２の上側の２つの露出部分１２Ａを、上面１２Ｂ、下面１２Ｃおよび側面１２Ｄのうち隣接する面同士が互いに直交する端部を積層体１０の側面よりも外側に突出させた立体形状とした場合には、拡散板１２の上側の一方の角に設けられた露出部分１２Ａの垂直方向上側の側面に被支持部１２Ｌを設けると共に露出部分１２Ａの垂直方向下側の側面に被支持部１２Ｅを設け、拡散板１２の下側の２つの角に設けられた露出部分１２Ａの垂直方向の側面には、被支持部１２Ｅをそれぞれ１つずつ設け、ボトムシャーシ６の底面の上側に、被支持部１２Ｅと対応して支持部６Ｒを設けると共に被支持部１２Ｌと対応して支持部６Ｙを設け、ボトムシャーシ６の蓋６０に、被支持部１２Ｋに対応して凸形状の支持部（図示せず）を設けることが可能である。【０１６３】
また、拡散板１２の四隅の露出部分１２Ａを、上面１２Ｂ、下面１２Ｃおよび側面１２Ｄのうち隣接する面同士が互いに直交する端部を積層体１０の側面よりも外側に突出させた立体形状とした場合には、各露出部分１２Ａをボトムシャーシ６の側壁に設けられた窪みに落とし込んで支持することが可能である。【０１６４】
例えば、図７９（Ａ），（Ｂ）（図７９（Ａ）は図７９（Ｂ）のボトムシャーシ６を垂直方向で切断したときの断面図である。）に示したように、各露出部分１２Ａの形状に対応した形状を有する窪みをボトムシャーシ６の側壁に設け、各窪みのうち下側の２つの窪みの底面に支持部６Ｌを設け、この支持部６Ｌに対応した被支持部１２Ｋを拡散板１２の下側に設けられた２つの露出部分１２Ａにそれぞれ設けることにより、落とし込みが可能となる。【０１６５】
また、例えば、図８０（Ａ），（Ｂ）（図８０（Ａ）は図８０（Ｂ）のボトムシャーシ６を垂直方向で切断したときの断面図である。）に示したように、各露出部分１２Ａの形状に対応した形状を有する窪みをボトムシャーシ６の側壁に設け、各窪みの底面の上側に支持部６Ｋを設け、この支持部６Ｋに対応した被支持部１２Ｅを各露出部分１２Ａの垂直上面側の側面にそれぞれ設けることによっても、落とし込みが可能となる。【０１６６】
本実施の形態の表示装置２００では、可撓性フィルム２０は、光源像分割シート１１、拡散板１２、拡散シート１３および輝度向上フィルム１４などの各光学シートを包み込むと共に、少なくとも拡散板１２の外縁の一部を露出させる１または複数の開口部２０Ａ，２０Ｂまたは２０Ｃを有している。さらに、拡散板１２のうち少なくとも１つの開口部２０Ａ，２０Ｂまたは２０Ｃに露出している露出部分１２Ａに、光学シートパッケージ体１，２または３を支持するシャーシ（ボトムシャーシ６）との位置決めを行うための形状が設けられている。これにより、積層体１０をシャーシに対して位置決めする際に、積層体１０のうち拡散板１２だけをシャーシで支持し、各光学シートを可撓性フィルム２０で支持することが可能となる。その結果、積層体１０内の各光学シートは積層面内方向に対して個別に伸縮することができるので、しわが発生する虞をなくすることができる。【０１６７】
[第６の実施の形態]
図８１は、本発明の第６の実施の形態に係る表示装置３００の断面構成の一例を表すものである。この表示装置３００は、液晶表示パネル５と、液晶表示パネル５の背後に配置された光源４と、ミドルシャーシ７およびトップシャーシ８を備えている点で、第４の実施の形態の構成と共通するが、第４の実施の形態におけるボトムシャーシ６に対して緩衝部６１が設けられている点と、これら液晶表示パネル５および光源４との間に光学シートパッケージ体１、２または３の他に光学シートパッケージ体９を配置することが可能となっている点で、第４の実施の形態とは相違する。そこで、以下では、第４の実施の形態の構成、作用および効果についての記載を適宜省略し、第４の実施の形態との相違点（緩衝部６１および光学シートパッケージ体９）について詳細に説明する。【０１６８】
緩衝部６１は、ボトムシャーシ６およびミドルシャーシ７のそれぞれの梁のうち光学シートパッケージ体１、２、３または４との対向面（つまり、光学シートパッケージ体１、２、３または４と接触可能な部位）に設けられたものであり、例えば、梁の表面上に貼付したり、梁そのものの材料が所定の材料により構成されることにより形成されたものである。【０１６９】
この緩衝部６１は、例えば熱可塑性樹脂、熱硬化性樹脂、滑り材などを含んで構成されており、光学シートパッケージ体１、２、３または４の積層方向と直交する方向に滑り易い表面特性を有している。この緩衝部６１は、例えば、熱可塑性樹脂または熱硬化性樹脂を用いて表面凹凸を設けた構成とすることが可能である。また、緩衝部６１は、梁の表面に滑り材を直接設けた構成や、熱可塑性樹脂または熱硬化性樹脂に滑り材を含ませたものを梁の表面に設けた構成、熱可塑性樹脂または熱硬化性樹脂と滑り材とを梁の表面にこの順に積層した構成とすることも可能である。【０１７０】
表面凹凸構造としては、例えば中空構造や、ハニカム構造などの低密度構造体や、あるいは最表面にサンドブラストによるマット加工や、半球、プリズム状、台形などの多角形断面を有する構造体アレイが隣接  あるいは多数配置されている構造などが挙げられる。【０１７１】
熱可塑性樹脂としては、ポリカーボネートやポリエチレンテレフタレート、ポリエチレンナフタレートなどに代表されるエステル系樹脂や、アクリル系樹脂、スチレン系樹脂、アクリロニトリル樹脂、塩化ビニル樹脂などによるビニル系樹脂、ブタジエンやクロロプレンなどによるゴム系樹脂、ポリエチレン、ポリプロピレンらによる結晶性樹脂、セルロース、ポリビニルアルコールなどによる樹脂、ウレア結合によるウレタン樹脂などが挙げられる。【０１７２】
熱硬化性樹脂としては、エポキシ樹脂、シリコン樹脂、チオール系樹脂などの表面形状を付与できる樹脂系などが使用可能である。【０１７３】
滑り材としては、フッ素系、シリコン系、鎖状低分子、無機フィラー、有機フィラーなどが使用可能である。【０１７４】
また、光学シートパッケージ体９は、図８２に示したように、光源像分割シート１１、拡散板１２、拡散シート１３および輝度向上フィルム１４などの各光学シートを可撓性フィルム２０で完全に包み込んだものである。つまり、この光学シートパッケージ体９には、拡散板１２を露出させるような開口部は設けられていない。【０１７５】
本実施の形態の表示装置３００では、光学シートパッケージ体１、２、３または４の可撓性フィルム２０の表面が、ボトムシャーシ６およびミドルシャーシ７のそれぞれの梁に設けられた緩衝部６１と接触することにより、光学シートパッケージ体１、２、３または９がボトムシャーシ６およびミドルシャーシ７によって積層方向から支持されている。これにより、積層体１０内の各光学シートは積層面内方向に対して個別に伸縮することができるので、しわが発生する虞をなくすることができる。【０１７６】
[第７の実施の形態]
図８３（Ａ）は、本発明の第７の実施の形態に係る光学シートパッケージ体３０の断面構成の一例を表すものである。この光学シートパッケージ体３０は、例えば液晶表示パネルと光源との間に配置され、光源の光学特性を改善するために好適に用いられるものである。この光学シートパッケージ体３０は、図８３（Ａ）に示したように、積層体１０と、可撓性フィルム４０とを備えたものである。【０１７７】
積層体１０は、例えば、光源像分割シート１１、支持板としての拡散板１２、拡散シート１３および輝度向上フィルム１４をこの順に重ね合わせて形成されたものである。【０１７８】
光源像分割シート１１は、図８３（Ｂ）に例示したように、その上面に底面と平行な平面に沿って延在する複数の柱状のプリズム１１Ａ（線状の凸部）がプリズム１１Ａの延在方向と交差する方向に連続的に並んで配置された薄い光学シートである。各プリズム１１Ａは、積層体１０の直下に複数の線状光源が並列配置される場合には、各プリズム１１Ａの延在方向がその線状光源の延在方向（例えば水平方向）と互いに平行となるように並列配置されていることが好ましいが、各線状光源の延在方向に対して光学特性上許容できる範囲内で交差するように配置されていてもよい。また、各プリズム１１Ａは、拡散板１２の一の辺とほぼ平行に延在していることが好ましい。これにより、例えば、照明装置の筐体が内壁によって矩形状に囲まれた内部空間を持っている場合に、その内部空間に、一の配列方向が内壁（側壁）の一の面と平行となるように複数の線状光源が並列配置されているときには、光学シートパッケージ体３０をその筐体内に配置するだけで、プリズム１１Ａの延在方向と線状光源の延在方向とを互いにほぼ平行にすることができる。【０１７９】
輝度向上フィルム１４は、図８３（Ｃ）に例示したように、その上面に底面と平行な平面に沿って延在する複数の柱状のプリズム１４Ａ（線状の凸部）がプリズム１４Ａの延在方向と交差する方向に連続的に並んで配置された薄い光学シートである。各プリズム１４Ａは、積層体１０の直下に複数の線状光源が並列配置される場合には、各プリズム１４Ａの延在方向がその線状光源の延在方向（例えば水平方向）と互いに平行となるように並列配置されていることが好ましいが、各線状光源の延在方向に対して光学特性上許容できる範囲内で交差するように配置されていてもよい。また、各プリズム１４Ａの延在方向は、図８３（Ｂ），（Ｃ）に例示したように、プリズム１１Ａの延在方向と平行またはほぼ平行となっていることが好ましい。このようにした場合には、プリズム１１Ａ，１４Ａの双方の延在方向を水平方向と平行またはほぼ平行にすることにより、水平方向の視野角を広くすることができる。【０１８０】
可撓性フィルム４０は、例えば透明性を有する単層または複数層のフィルム状、シート状、プレート状もしくは袋状となっており、積層体１０を包み込んでいる。なお、この可撓性フィルム４０は、上記実施の形態の可撓性フィルム２０と同様、所定の部位に開口を有していてもよいし、そのような開口を有していなくてもよい。また、この可撓性フィルム４０は、上記実施の形態の可撓性フィルム２０と同様の材料からなり、かつ、上記実施の形態の可撓性フィルム２０と同様の光学特性を有している。【０１８１】
本実施の形態の光学シートパッケージ体３０では、光学シートパッケージ体３０の光源像分割部２３側に光源が配置され、この光源から光学シートパッケージ体３０に向けて無偏光の光が照射されると、光源からの光は可撓性フィルム４０のうち光源側（光入射側）のフィルム（光入射面）を透過したのち、光源像分割シート１１で微小光束に分割され、その分割により得られる光源像が拡散板１２および拡散シート１３で拡散され、面内方向の輝度分布が均一化される。輝度の均一化された拡散光は輝度向上フィルム１４で集光され、正面輝度の増大した光は可撓性フィルム４０のうち光源とは反対側（光射出側）のフィルム（光射出面）を透過したのち、外部に射出される。このようにして、光源からの光は、所望の正面輝度、面内輝度分布および視野角などを有する光に調整される。【０１８２】
ところで、本実施の形態では、支持板としての拡散板１２と共に、光源像分割シート１１、拡散板１２、拡散シート１３および輝度向上フィルム１４を可撓性フィルム４０で包み込み、一体化するようにしたので、光源像分割シート１１、拡散シート１３および輝度向上フィルム１４などの各光学シートの面内方向の動きが制限されるような密着が生じず、しわの発生を防止することができる。また、各光学シートが一体化されているので、光学シート単体の場合よりも取扱いが容易であり、各光学シートの間にゴミが入りにくい。さらに、輸送時の傷付き防止などを目的とした保護フィルムを各光学シートに貼り合わせておく必要ないので、各光学シートを一体化したもの（光学シートパッケージ体）を筐体に組み込む際に保護フィルムを剥がす作業が不要となり、スループットが向上する。【０１８３】
[第７の実施の形態の変形例]
上記第７の実施の形態では、支持板として拡散板１２を用いていたが、例えば、図８４（Ａ），（Ｂ）に示したように、光源像分割シート１１を拡散板１２と同様の厚さおよび剛性とし、光源像分割シート１１を支持板として用いるようにしてもよい。なお、このようにした場合には、例えば、図８４（Ａ），（Ｂ）に示したように、上記実施の形態の積層体１０から拡散板１２をなくすることも可能である。【０１８４】
また、上記第７の実施の形態では、可撓性フィルム４０は光源像分割シート１１を１つだけ内包していたが、２つ内包するようにしてもよい。例えば、図８５（Ａ），（Ｂ）に示したように、上記実施の形態の積層体１０において、光入射面に最も近い光源像分割シート１１と、拡散板１２との間に、光入射面に最も近い光源像分割シート１１のプリズム１１Ａの延在方向（例えば水平方向）と交差（直交）する方向に延在するプリズム１１Ａを有する光源像分割シート１１をさらに１つ追加することが可能である。このとき、光入射面に最も近い光源像分割シート１１のプリズム１１Ａが拡散板１２の一の辺とほぼ平行に延在し、追加した方の光源像分割シート１１のプリズム１１Ａが拡散板１２の一の辺と交差する他の辺とほぼ平行に延在している。このようにした場合には、例えば、照明装置の筐体が内壁によって矩形状に囲まれた内部空間を持っている場合に、その内部空間に、複数の点状光源が、配列方向が内壁（側壁）と交差するようにマトリクス状に配置されているとき（例えば後述の図１０１（Ａ），（Ｃ）参照）には、光学シートパッケージ体３０をその筐体内に配置するだけで、双方の光源像分割シート１１のプリズム１１Ａの延在方向を点状光源の配列方向と交差させることができる。その結果、２つの光源像分割シート１１によって分割された後の光源像同士の重なり合いを小さくすることができるので、輝度むらを低減することができる。なお、上記したように、双方の光源像分割シート１１のプリズム１１Ａを拡散板１２の辺とほぼ平行に延在して形成する場合の方が、双方の光源像分割シート１１のプリズム１１Ａを拡散板１２の辺と交差する方向に延在して形成する場合（後述の図８８（Ａ），（Ｂ）のケース）よりも、高い生産効率が得られる点で、好ましい。また、例えば、図８６（Ａ），（Ｂ）または図８７（Ａ），（Ｂ）に示したように、２つの光源像分割シート１１の一方を拡散板１２と同様の厚さおよび剛性とし、支持板として用いるようにしてもよい。ただし、このようにした場合には、例えば、図８６（Ａ）または図８７（Ａ）に示したように、上記実施の形態の積層体１０から拡散板１２をなくすることも可能である。【０１８５】
また、上記第７の実施の形態の変形例では、可撓性フィルム４０内に光源像分割シート１１を２つ設けた際に、光入射面に最も近い光源像分割シート１１のプリズム１１Ａが拡散板１２の一の辺とほぼ平行に延在し、追加した方の光源像分割シート１１のプリズム１１Ａが拡散板１２の一の辺と交差する他の辺とほぼ平行に延在していたが、図８８（Ａ），（Ｂ）に示したように、双方の光源像分割シート１１のプリズム１１Ａが拡散板１２の一の辺と交差する方向に延在していてもよい。このようにした場合には、例えば、照明装置の筐体が内壁によって矩形状に囲まれた内部空間を持っている場合に、その内部空間に、複数の点状光源が、一の配列方向が内壁（側壁）の一の面と平行となるように配置されると共に、他の配列方向が内壁（側壁）の一の面と交差する他の面（側壁）と平行となるように配置されているとき（例えば後述の図１０５（Ａ），（Ｃ）参照）には、光学シートパッケージ体３０をその筐体内に配置するだけで、双方の光源像分割シート１１のプリズム１１Ａの延在方向を点状光源の配列方向と交差させることができる。その結果、２つの光源像分割シート１１によって分割された後の光源像同士の重なり合いを小さくすることができるので、輝度むらを低減することができる。なお、この場合にも、２つの光源像分割シート１１の一方を拡散板１２と同様の厚さおよび剛性とし、支持板として用いるようにしてもよい。【０１８６】
ここで、点状光源における配列方向とは、一の点状光源の周囲に配置された複数の他の点状光源のうち一の点状光源に最も近い他の点状光源（最も近い他の点状光源が複数存在する場合にはそのうちの１つ）と、一の点状光源とを最短距離で結んだときの線分の方向（便宜的に方向Ａとする。）と、一の点状光源から見て方向Ａと交差する方向にある複数の他の点状光源のうち一の点状光源に最も近い他の点状光源と、一の点状光源とを最短距離で結んだときの線分の方向との２方向を指す。【０１８７】
なお、各点状光源が赤（Ｒ）、緑（Ｇ）または青（Ｂ）の光を発する単一のＬＥＤで構成されている場合や、ＲＧＢの三原色の光を別個に発する複数のＬＥＤで構成されている場合には、色ごとに上記のルールに従って配列方向が規定される。【０１８８】
また、点状光源の一の配列方向における各点状光源のピッチは、点状光源の他の配列方向における各点状光源のピッチと等しいことが好ましいが、それぞれのピッチが互いに異なっていてもよい。【０１８９】
ここで、各点状光源のピッチとは、配列方向における点状光源同士の間隔（距離）を指す。なお、各点状光源が赤（Ｒ）、緑（Ｇ）または青（Ｂ）の光を発する単一のＬＥＤで構成されている場合や、ＲＧＢの三原色の光を別個に発する複数のＬＥＤで構成されている場合には、色ごとに上記のルールに従ってピッチが規定される。【０１９０】
また、上記第７の実施の形態では、一の方向に延在する複数のプリズム１１Ａを並列配置してなる立体形状を有する光源像分割シート１１を可撓性フィルム４０内に設けていたが、例えば、図８９（Ａ），（Ｂ）に示したように、その上面（光射出側の面）に、稜線Ｒ１（第１の稜線）を間にして設けられた一対の斜面Ｓ１を有する凸部１３Ａと、稜線Ｒ２（第２の稜線）を間にして設けられた一対の斜面Ｓ２を有する凸部１３Ｂとを互いに重ね合わせた立体形状を有する光源像分割シート２１を可撓性フィルム４０内に設けてもよい。【０１９１】
ここで、稜線Ｒ１は、光源像分割シート２１の底面（光入射側の面）とほぼ平行な方向であって、かつ拡散板１２の一の辺と平行に延在している。また、稜線Ｒ２は、拡散シート１３の底面とほぼ平行な方向であって、かつ拡散板１２の一の辺と交差する他の辺と平行に延在している。これにより、例えば、照明装置の筐体が内壁によって矩形状に囲まれた内部空間を持っている場合に、その内部空間に、複数の点状光源が、配列方向が内壁（側壁）の一の面だけでなく一の面と交差する他の面（側壁）とも交差するようにマトリクス状に配置されているとき（例えば後述の図１０２（Ａ），（Ｃ）参照）には、光学シートパッケージ体３０をその筐体内に配置するだけで、図１１１に示したように、光源像分割シート２１の稜線Ｒ１，Ｒ２を点状光源の配列方向Ｌ１、Ｌ２と所定の角度で交差させることができる。その結果、光源像分割シート２１によって分割された後の光源像同士の重なり合いを小さくすることができるので、輝度むらを低減することができる。なお、この場合にも、図９０（Ａ），（Ｂ）に示したように、光源像分割シート２１を拡散板１２と同様の厚さおよび剛性とし、支持板として用いるようにしてもよい。ただし、このようにした場合には、例えば、図９０（Ａ）に示したように、上記実施の形態の積層体１０から拡散板１２をなくすることも可能である。【０１９２】
なお、稜線Ｒ１の方向にｘ軸、稜線Ｒ２の方向にｙ軸をとり、凸部２１Ａの表面形状を表す関数をｆ（ｙ）、凸部２１Ｂの表面形状を表す関数をｆ（ｘ）とすると、光源像分割シート２１は、Ｍａｘ［ｆ（ｘ），ｆ（ｙ）］を満たす表面形状を有している。ここで、Ｍａｘ［ｆ（ｘ），ｆ（ｙ）］とは、ｆ（ｘ）≧ｆ（ｙ）の場合にはｆ（ｘ）を取り、ｆ（ｘ）＜ｆ（ｙ）の場合にはｆ（ｙ）を取る関数である。【０１９３】
ところで、光源像分割シート２１は、点状光源がつくる光源像を複数に分割することにより、図１１２，図１１３，図１１４に例示したように、Ｘ字型（十字型）の光源像Ｉ１〜Ｉ４を形成する。この光源像Ｉ１〜Ｉ４の形状および腕の幅Ｄ３は、点状光源の面内の配置の仕方によって変化するものではなく、光源像分割シート２１の立体形状によって決まるものである。【０１９４】
そのため、例えば、光源像分割シート２１の稜線Ｒ１が、点状光源の一の配列方向と平行な方向に延在すると共に、光源像分割シート２１の稜線Ｒ２が、点状光源の他の配列方向と平行な方向に延在している場合であっても、Ｘ字型（十字型）の光源像が形成される。【０１９５】
しかし、このように各点状光源を光源像分割シート２１の稜線Ｒ１，Ｒ２に対応して２次元配置した場合には、隣接する光源像Ｉ同士の腕が互いに重なり合ってしまう。そのため、互いに重なり合った部分が他の部分と比べて顕著に明るくなってしまい、効率的に輝度むらを低減することができない。【０１９６】
一方、図１１２に示したように、光源像分割シート２１の稜線Ｒ１が、点状光源の一の配列方向Ｌ１と所定の角度θ１で交差する方向に延在すると共に、光源像分割シート２１の稜線Ｒ２が、点状光源の他の配列方向Ｌ２と所定の角度θ２で交差する方向に延在している場合には、光源像分割シート２１の稜線Ｒ１，Ｒ２が点状光源の配列方向Ｌ１，Ｌ２と平行な方向に配列されている場合と比べて、分割された後の光源像同士の重なり合いを低減またはなくすることができる。その結果、輝度むらを低減することができる。【０１９７】
ところで、稜線Ｒ１は、図１１１に示したように、各点状光源の２つの配列方向（方向Ｌ１，Ｌ２）および稜線Ｒ２の延在方向の計３方向と互いに交差する方向に延在し得る。また、稜線Ｒ２は各点状光源の２つの配列方向（方向Ｌ１，Ｌ２）および稜線Ｒ１の延在方向の計３方向と互いに交差する方向に延在し得る。そこで、稜線Ｒ１と方向Ｌ１とのなす角度をθ１とし、稜線Ｒ２と方向Ｌ２とのなす角度をθ２とした場合に、θ１，θ２がそれぞれ、以下の２つの式を同時に満たすように、光源像分割シート２１の稜線Ｒ１，Ｒ２を設定しておくことが好ましい。
１０°＜θ１＜４０°
１０°＜θ２＜４０°【０１９８】
また、方向Ｌ１，Ｌ２が互いに直交またはほぼ直交している場合には、回転角θ１，θ２はそれぞれ、以下の式を満たすことがより好ましい。
θ１＝θ２＝２５°【０１９９】
ここで、θ１およびθ２が２５°となるように光源像分割シート２１の稜線Ｒ１，Ｒ２を設定した場合には、図１１２に示したように、光源像Ｉ１〜Ｉ４同士の間隔（Ｄ４，Ｄ５，Ｄ６，Ｄ７，Ｄ８）がおおむね等しくなる。これにより、光源像Ｉ１〜Ｉ４同士の間（暗い間隙）の面内の分布を均一化することができるので、輝度むらを大幅に低減することができる。【０２００】
なお、Ｄ４は、稜線Ｒ１の延在方向における、光源像Ｉ１および光源像Ｉ３の双方の腕の側面間の距離であり、Ｄ５は、稜線Ｒ１の延在方向における、光源像Ｉ４の腕の先端部と、光源像Ｉ３の腕の側面との距離である。また、Ｄ６は、稜線Ｒ２の延在方向における、光源像Ｉ１および光源像Ｉ２の双方の腕の側面間の距離であり、Ｄ７は、稜線Ｒ２の延在方向における、光源像Ｉ３の腕の先端部と、光源像Ｉ１の腕の側面との距離である。【０２０１】
また、θ１およびθ２が下限の１０°より大きく、上限の４０°よりも小さくなるように光源像分割シート２１の稜線Ｒ１，Ｒ２を設定した場合には、図１１３（θ１およびθ２を下限の１０°付近にした場合），図１１４（θ１およびθ２を上限の４０°付近にした場合）に示したように、光源像Ｉ１〜Ｉ４同士の重なり合いをなくすることができる。これにより、輝度むらを低減することができる。【０２０２】
また、上記第７の実施の形態の変形例では、稜線Ｒ１が拡散板１２の一の辺と平行に延在すると共に、稜線Ｒ２が拡散板１２の一の辺と交差する他の辺と平行に延在していたが、図９１（Ａ），（Ｂ）に示したように、稜線Ｒ１、Ｒ２共に拡散板１２の全ての辺の延在方向と交差する方向に延在していてもよい。このようにした場合には、例えば、照明装置の筐体が内壁によって矩形状に囲まれた内部空間を持っている場合に、その内部空間に、複数の点状光源が、一の配列方向が内壁（側壁）の一の面と平行となるように配置されると共に、他の配列方向が内壁（側壁）の一の面と交差する他の面（側壁）と平行となるように配置されているとき（例えば後述の図１０６（Ａ），（Ｃ）参照）には、光学シートパッケージ体３０をその筐体内に配置するだけで、稜線Ｒ１、Ｒ２の延在方向を点状光源の配列方向と交差させることができる。その結果、光源像分割シート２１によって分割された後の光源像同士の重なり合いを小さくすることができるので、輝度むらを低減することができる。なお、この場合にも、図９２（Ａ），（Ｂ）に示したように、光源像分割シート２１を拡散板１２と同様の厚さおよび剛性とし、支持板として用いるようにしてもよい。ただし、このようにした場合には、例えば、図９２（Ａ）に示したように、上記実施の形態の積層体１０から拡散板１２をなくすることも可能である。【０２０３】
ところで、上記変形例において、図１１５に示したように、稜線Ｒ１と点状光源の一の配列方向Ｌ１とのなす角度をθ１とし、稜線Ｒ２と点状光源の他の配列方向Ｌ２とのなす角度をθ２とした場合に、θ１，θ２がそれぞれ、以下の２つの式を同時に満たすように、稜線Ｒ１，Ｒ２の方向を設定しておくことが好ましい。
１０°＜θ１＜４０°
１０°＜θ２＜４０°【０２０４】
また、稜線Ｒ１，Ｒ２が互いに直交またはほぼ直交している場合には、θ１，θ２はそれぞれ、以下の式を満たすことがより好ましい。
θ１＝θ２＝２５°【０２０５】
ここで、θ１およびθ２が２５°となるように稜線Ｒ１，Ｒ２の方向を設定した場合には、図１１６に示したように、光源像Ｉ１〜Ｉ４同士の間隔（Ｄ４，Ｄ５，Ｄ６，Ｄ７）がおおむね等しくなる。これにより、光源像Ｉ１〜Ｉ４同士の間（暗い間隙）の面内の分布を均一化することができるので、輝度むらを大幅に低減することができる。【０２０６】
また、θ１およびθ２が下限の１０°より大きく、上限の４０°よりも小さくなるように稜線Ｒ１，Ｒ２の方向を設定した場合には、図１１７（θ１およびθ２を下限の１０°付近にした場合），図１１８（θ１およびθ２を上限の４０°付近にした場合）に示したように、光源像Ｉ１〜Ｉ４同士の重なり合いをなくすることができる。これにより、輝度むらを低減することができる。【０２０７】
[第８の実施の形態]
図９３（Ａ）は、本発明の第８の実施の形態に係る光学シートパッケージ体５０の断面構成の一例を表すものである。この光学シートパッケージ体５０は、例えば液晶表示パネルと光源との間に配置され、光源の光学特性を改善するために好適に用いられるものである。この光学シートパッケージ体５０は、図９３（Ａ）に示したように、積層体１０と、可撓性フィルム６０とを備えたものである。【０２０８】
積層体１０は、例えば、支持板としての拡散板１２、拡散シート１３および輝度向上フィルム１４をこの順に重ね合わせて形成されたものである。【０２０９】
可撓性フィルム６０は、例えば透明性を有する単層または複数層のフィルム状、シート状、プレート状もしくは袋状となっており、積層体１０を包み込んでいる。なお、この可撓性フィルム６０は、上記実施の形態の可撓性フィルム２０と同様、所定の部位に開口を有していてもよいし、そのような開口を有していなくてもよい。また、この可撓性フィルム６０は、上記実施の形態の可撓性フィルム２０と同様の材料からなり、かつ、上記実施の形態の可撓性フィルム２０と同様の光学特性を有している。【０２１０】
ところで、この可撓性フィルム６０のうち、積層体１０の光入射側（拡散板１２側）に対応するフィルムには、図９３（Ａ），（Ｂ）に示したように、複数のプリズム２２Ａ（凸部）を含む光源像分割部２２が設けられている。この複数のプリズム２２Ａは、積層体１０の積層面内の一の方向に延在すると共に一の方向と積層面内において交差する方向に連続的に並んで配置されている。各プリズム２２Ａは、積層体１０の直下に複数の線状光源が並列配置される場合には、各プリズム２２Ａの延在方向がその線状光源の延在方向（例えば水平方向）と互いに平行となるように並列配置されていることが好ましいが、各線状光源の延在方向に対して光学特性上許容できる範囲内で交差するように配置されていてもよい。また、各プリズム２２Ａは、拡散板１２の一の辺とほぼ平行に延在していることが好ましい。これにより、例えば、照明装置の筐体が内壁によって矩形状に囲まれた内部空間を持っている場合に、その内部空間に、一の配列方向が内壁（側壁）の一の面と平行となるように複数の線状光源が並列配置されているときには、光学シートパッケージ体５０をその筐体内に配置するだけで、プリズム２２Ａの延在方向と線状光源の延在方向とを互いにほぼ平行にすることができる。【０２１１】
本実施の形態の光学シートパッケージ体５０では、光学シートパッケージ体５０の光源像分割部２２側に光源が配置され、この光源から光学シートパッケージ体５０に向けて無偏光の光が照射されると、光源からの光は光学シートパッケージ体５０のうち光源側（光入射側）のフィルム（光入射面）に設けられた光源像分割部２２で微小光束に分割され、その分割により得られる光源像が拡散板１２および拡散シート１３で拡散され、面内方向の輝度分布が均一化される。輝度の均一化された拡散光は輝度向上フィルム１４で集光され、正面輝度の増大した光は可撓性フィルム６０のうち光源とは反対側（光射出側）のフィルム（光射出面）を透過したのち、外部に射出される。このようにして、光源からの光は、所望の正面輝度、面内輝度分布および視野角などを有する光に調整される。【０２１２】
ところで、本実施の形態では、支持板としての拡散板１２と共に、拡散板１２、拡散シート１３および輝度向上フィルム１４を可撓性フィルム６０で包み込み、一体化するようにしたので、拡散シート１３および輝度向上フィルム１４などの各光学シートの面内方向の動きが制限されるような密着が生じず、しわの発生を防止することができる。また、各光学シートが一体化されているので、光学シート単体の場合よりも取扱いが容易であり、各光学シートの間にゴミが入りにくい。さらに、輸送時の傷付き防止などを目的とした保護フィルムを各光学シートに貼り合わせておく必要ないので、各光学シートを一体化したもの（光学シートパッケージ体）を筐体に組み込む際に保護フィルムを剥がす作業が不要となり、スループットが向上する。【０２１３】
また、本実施の形態では、可撓性フィルム６０のうち、積層体１０の光入射側（拡散板１２側）に対応するフィルムに光源像分割部２２を設けたので、上記実施の形態の場合のように光源像分割シート１１を可撓性フィルム４０に内包した場合と比べて、光源像分割シート１１の分だけ、光学シートパッケージ体５０全体の厚さを薄くすることができる。【０２１４】
[第８の実施の形態の変形例]
上記第８の実施の形態では、光源像分割シート１１を可撓性フィルム６０で内包する代わりに、可撓性フィルム６０に光源像分割部２２を設けていたが、例えば、図９４（Ａ），（Ｂ）に示したように、可撓性フィルム６０のうち、積層体１０の光入射側（拡散板１２側）に対応するフィルムと、拡散板１２との間に、光源像分割シート１１を設けると共に、可撓性フィルム６０のうち、積層体１０の光入射側（拡散板１２側）に対応するフィルムに光源像分割部２２を設けるようにしてもよい。このとき、光源像分割部２２のプリズム２２Ａが拡散板１２の一の辺とほぼ平行に延在し、光源像分割シート１１のプリズム１１Ａが拡散板１２の一の辺と交差する他の辺とほぼ平行に延在している。このようにした場合には、例えば、照明装置の筐体が内壁によって矩形状に囲まれた内部空間を持っている場合に、その内部空間に、複数の点状光源が、配列方向が内壁（側壁）と交差するようにマトリクス状に配置されているとき（例えば後述の図１０３（Ａ），（Ｃ）参照）には、光学シートパッケージ体６０をその筐体内に配置するだけで、プリズム１１Ａ，２２Ａの延在方向を点状光源の配列方向と交差させることができる。その結果、プリズム１１Ａ，２２Ａによって分割された後の光源像同士の重なり合いを小さくすることができるので、輝度むらを低減することができる。なお、上記したように、プリズム１１Ａ，２２Ａを拡散板１２の辺とほぼ平行に延在して形成する場合の方が、プリズム１１Ａ，２２Ａを拡散板１２の辺と交差する方向に延在して形成する場合（後述の図９６（Ａ），（Ｂ）のケース）よりも、高い生産効率が得られる点で、好ましい。また、例えば、図９５（Ａ），（Ｂ）に示したように、光源像分割シート１１を拡散板１２と同様の厚さおよび剛性とし、支持板として用いるようにしてもよい。ただし、このようにした場合には、例えば、図９５（Ａ）に示したように、上記実施の形態の積層体１０から拡散板１２をなくすることも可能である。【０２１５】
また、上記第８の実施の形態の変形例では、可撓性フィルム６０内に光源像分割シート１１を設けた際に、光源像分割部２２のプリズム２２Ａが拡散板１２の一の辺とほぼ平行に延在し、光源像分割シート１１のプリズム１１Ａが拡散板１２の一の辺と交差する他の辺とほぼ平行に延在していたが、図９６（Ａ），（Ｂ）に示したように、プリズム１１Ａ，２２Ａが拡散板１２の一の辺と交差する方向に延在していてもよい。このようにした場合には、例えば、照明装置の筐体が内壁によって矩形状に囲まれた内部空間を持っている場合に、その内部空間に、複数の点状光源が、一の配列方向が内壁（側壁）の一の面と平行となるように配置されると共に、他の配列方向が内壁（側壁）の一の面と交差する他の面（側壁）と平行となるように配置されているとき（例えば後述の図１０７（Ａ），（Ｃ）参照）には、光学シートパッケージ体５０をその筐体内に配置するだけで、プリズム１１Ａ，２２Ａの延在方向を点状光源の配列方向と交差させることができる。その結果、プリズム１１Ａ，２２Ａによって分割された後の光源像同士の重なり合いを小さくすることができるので、輝度むらを低減することができる。なお、この場合にも、光源像分割シート１１を拡散板１２と同様の厚さおよび剛性とし、支持板として用いるようにしてもよい。【０２１６】
また、上記第８の実施の形態では、一の方向に延在する複数のプリズム２２Ａを並列配置してなる立体形状を有する光源像分割部２２を可撓性フィルム６０のうち、積層体１０の光入射側（拡散板１２側）に対応するフィルムに設けていたが、例えば、図９７（Ａ），（Ｂ）に示したように、稜線Ｒ１（第１の稜線）を間にして設けられた一対の斜面Ｓ１を有する凸部２３Ａと、稜線Ｒ２（第２の稜線）を間にして設けられた一対の斜面Ｓ２を有する凸部２３Ｂとを互いに重ね合わせた立体形状を有する光源像分割部２３を可撓性フィルム６０のうち、積層体１０の光入射側（拡散板１２側）に対応するフィルムに設けてもよい。【０２１７】
ここで、稜線Ｒ１は、可撓性フィルム６０のうち、積層体１０の光入射側（拡散板１２側）に対応するフィルムの底面（光入射側の面）とほぼ平行な方向であって、かつ拡散板１２の一の辺と平行に延在している。また、稜線Ｒ２は、可撓性フィルム６０のうち、積層体１０の光入射側（拡散板１２側）に対応するフィルムの底面（光入射側の面）とほぼ平行な方向であって、かつ拡散板１２の一の辺と交差する他の辺と平行に延在している。これにより、例えば、照明装置の筐体が内壁によって矩形状に囲まれた内部空間を持っている場合に、その内部空間に、複数の点状光源が、配列方向が内壁（側壁）の一の面だけでなく一の面と交差する他の面（側壁）とも交差するようにマトリクス状に配置されているとき（例えば後述の図１０４（Ａ），（Ｃ）参照）には、光学シートパッケージ体５０をその筐体内に配置するだけで、光源像分割部２３の稜線Ｒ１，Ｒ２を点状光源の配列方向と交差させることができる。その結果、光源像分割部２３によって分割された後の光源像同士の重なり合いを小さくすることができるので、輝度むらを低減することができる。【０２１８】
なお、稜線Ｒ１の方向にｘ軸、稜線Ｒ２の方向にｙ軸をとり、凸部２１Ａの表面形状を表す関数をｆ（ｙ）、凸部２１Ｂの表面形状を表す関数をｆ（ｘ）とすると、光源像分割シート２１は、Ｍａｘ［ｆ（ｘ），ｆ（ｙ）］を満たす表面形状を有している。ここで、Ｍａｘ［ｆ（ｘ），ｆ（ｙ）］とは、ｆ（ｘ）≧ｆ（ｙ）の場合にはｆ（ｘ）を取り、ｆ（ｘ）＜ｆ（ｙ）の場合にはｆ（ｙ）を取る関数である。【０２１９】
また、上記第８の実施の形態の変形例では、稜線Ｒ１が拡散板１２の一の辺と平行に延在すると共に、稜線Ｒ２が拡散板１２の一の辺と交差する他の辺と平行に延在していたが、図９８（Ａ），（Ｂ）に示したように、稜線Ｒ１、Ｒ２共に拡散板１２の全ての辺の延在方向と交差する方向に延在していてもよい。このようにした場合には、例えば、照明装置の筐体が内壁によって矩形状に囲まれた内部空間を持っている場合に、その内部空間に、複数の点状光源が、一の配列方向が内壁（側壁）の一の面と平行となるように配置されると共に、他の配列方向が内壁（側壁）の一の面と交差する他の面（側壁）と平行となるように配置されているとき（例えば後述の図１０８（Ａ），（Ｃ）参照）には、光学シートパッケージ体５０をその筐体内に配置するだけで、稜線Ｒ１、Ｒ２の延在方向を点状光源の配列方向と交差させることができる。その結果、光源像分割部２３によって分割された後の光源像同士の重なり合いを小さくすることができるので、輝度むらを低減することができる。【０２２０】
[第９の実施の形態]
図９９（Ａ）は、本発明の第９の実施の形態に係る表示装置４００の断面構成の一例を表すものである。この表示装置４００は、液晶表示パネル５と、液晶表示パネル５の背後に配置された光源２４と、これら液晶表示パネル５および光源２４との間に配置された光学シートパッケージ体３０と、これら液晶表示パネル５、光源２４および光学シートパッケージ体３０を支持する筐体２５を備えており、液晶表示パネル５の表面が観察者（図示せず）側に向けられている。なお、本実施の形態では、便宜的に、液晶表示パネル５はその表面が水平面と直交するように配置されているものとする。【０２２１】
光源２４は、図９９（Ａ），（Ｃ）に例示したように、複数の線状光源が等間隔（例えば２０μｍ間隔）で並列配置されたものである。線状光源は、典型的には、冷陰極管（ＣＣＦＬ；Cold Cathode Fluorescent Lamp）と呼ばれる冷陰極蛍光ランプであるが、発光ダイオード（ＬＥＤ；Light Emitting Diode）などの点状光源を直線状に配置したものであってもよい。各線状光源は、筐体２５の内壁によって矩形状に囲まれた内部空間に、一の配列方向が内壁（側壁）の一の面と平行（例えば水平）となると共に、他の配列方向が内壁（側壁）の一の面と交差する他の面（側壁）と平行となるようにマトリクス状に配置されている。【０２２２】
光学シートパッケージ体３０は、図８３（Ａ），（Ｂ）ないし図８７（Ａ），（Ｂ）のいずれかに記載の構成となっている。この光学シートパッケージ体３０内の光源像分割シート１１の各プリズム１１Ａおよび輝度向上フィルム１４の各プリズム１４Ａは、それぞれ、図９９（Ａ），（Ｂ）に例示したように、各プリズム１１Ａ，１４Ａの延在方向が光源２４の延在方向（例えば水平方向）と互いに平行となるように並列配置されており、かつ、各プリズム１１Ａ，１４Ａの延在方向が拡散板１２の一の辺とほぼ平行となるように並列配置されている。【０２２３】
本実施の形態の表示装置４００では、光源２４から射出された光は直接または筐体２５で反射されて光学シートパッケージ体３０に入射する。光学シートパッケージ体３０への入射光は可撓性フィルム４０のうち光源２４側（光入射側）のフィルム（光入射面）を透過したのち、光源像分割シート１１で微小光束に分割され、その分割により得られた光源像が拡散板１２および拡散シート１３で拡散され、面内方向の輝度分布が均一化される。輝度の均一化された拡散光は輝度向上フィルム１４で集光され、正面輝度が増大する。【０２２４】
このようにして光学シートパッケージ体３０を透過した高輝度かつ均一な光が液晶表示パネル５に入射すると、観察者側とは反対側の偏光板の偏光軸と交差する偏光成分が偏光板で吸収され、偏光板の偏光軸と平行な偏光成分が偏光板を透過する。偏光板を透過した直線偏光は各画素電極に入射し、液晶層において各画素電極と対向電極との間に印加された電圧に応じて変調され、カラーフィルタでさらに色分離され、観察者側の偏光板に入射する。偏光板に入射した光のうち偏光板の偏光軸と交差する偏光成分が偏光板で吸収され、偏光板の偏光軸と平行な偏光成分が偏光板を透過してパネル正面に画像を形成する。このようにして、表示装置４００において画像が表示される。【０２２５】
ところで、本実施の形態では、支持板と共に複数の光学シートを可撓性フィルム４０で包み込み、一体化した光学シートパッケージ体３０を用いるようにしたので、光学シートパッケージ体３０内の内包物（複数の光学シート）にしわが発生せず、しわに起因して発生する輝度むらをなくすることができる。【０２２６】
なお、図８３（Ａ），（Ｂ）〜図８７（Ａ），（Ｂ）に示した構成を有する光学シートパッケージ体３０の代わりに、図９３（Ａ），（Ｂ）〜図９５（Ａ），（Ｂ）に示した構成を有する光学シートパッケージ体５０を用いることが可能である（図１００（Ａ）〜（Ｃ）参照）。そのようにした場合にも、しわに起因して発生する輝度むらをなくすることができる。【０２２７】
[第１０の実施の形態]
図１０１（Ａ）は、本発明の第１０の実施の形態に係る表示装置５００の断面構成の一例を表すものである。この表示装置５００は、液晶表示パネル５と、液晶表示パネル５の背後に配置された光源２６と、光源２６を支持する反射板２７と、これら液晶表示パネル５および光源２６との間に配置された光学シートパッケージ体３０と、これら液晶表示パネル５、光源２６、反射板２７および光学シートパッケージ体３０を支持する筐体２５を備えており、液晶表示パネル５の表面が観察者（図示せず）側に向けられている。なお、本実施の形態では、便宜的に、液晶表示パネル５はその表面が水平面と直交するように配置されているものとする。【０２２８】
光源２６は、複数の点状光源が等間隔でマトリクス状に配置されたものである。複数の点状光源は、例えば発光ダイオードからなり、図１０１（Ｃ）に示したように、筐体２５の内壁によって矩形状に囲まれた内部空間に、配列方向が内壁（側壁）の一の面だけでなく一の面と交差する他の面（側壁）とも交差するように配置されている。また、複数の点状光源は、配列方向が拡散板１２の全ての辺の延在方向と交差するように配置されている。【０２２９】
光学シートパッケージ体３０は、図８５（Ａ），（Ｂ）、図８６（Ａ），（Ｂ）または図８７（Ａ），（Ｂ）に記載の構成となっている。なお、図１０１（Ａ），（Ｂ）には、光学シートパッケージ体３０が図８５（Ａ），（Ｂ）に記載の構成を有する場合が例示されている。この光学シートパッケージ体３０内の２つの光源像分割シート１１のうち光源２６側の光源像分割シート１１の各プリズム１１Ａは、各プリズム１１Ａの延在方向が光源２６の配列方向と交差する方向（例えば水平方向）であって、かつ拡散板１２の一の辺の延在方向とほぼ平行となるように並列配置されている。また、この光学シートパッケージ体３０内の２つの光源像分割シート１１のうち光源２６から遠い方の光源像分割シート１１の各プリズム１１Ａは、各プリズム１１Ａの延在方向が、光源２６側の光源像分割シート１１の各プリズム１１の延在方向ならびに光源２６の配列方向と交差する方向（例えば垂直方向）であって、かつ拡散板１２の一の辺と交差する他の辺の延在方向とほぼ平行となるように並列配置されている。【０２３０】
本実施の形態の表示装置５００では、光源２６から射出された光は直接または筐体２５および反射板２７で反射されて光学シートパッケージ体３０に入射する。光学シートパッケージ体３０への入射光は可撓性フィルム４０のうち光源２６側（光入射側）のフィルム（光入射面）を透過したのち、光源像分割シート１１で微小光束に分割され、その分割により得られた光源像が拡散板１２および拡散シート１３で拡散され、面内方向の輝度分布が均一化される。輝度の均一化された拡散光は輝度向上フィルム１４で集光され、正面輝度が増大する。【０２３１】
このようにして光学シートパッケージ体３０を透過した高輝度かつ均一な光が液晶表示パネル５に入射すると、観察者側とは反対側の偏光板の偏光軸と交差する偏光成分が偏光板で吸収され、偏光板の偏光軸と平行な偏光成分が偏光板を透過する。偏光板を透過した直線偏光は各画素電極に入射し、液晶層において各画素電極と対向電極との間に印加された電圧に応じて変調され、カラーフィルタでさらに色分離され、観察者側の偏光板に入射する。偏光板に入射した光のうち偏光板の偏光軸と交差する偏光成分が偏光板で吸収され、偏光板の偏光軸と平行な偏光成分が偏光板を透過してパネル正面に画像を形成する。このようにして、表示装置５００において画像が表示される。【０２３２】
ところで、本実施の形態では、支持板と共に複数の光学シートを可撓性フィルム４０で包み込み、一体化した光学シートパッケージ体３０を用いるようにしたので、光学シートパッケージ体３０内の内包物（複数の光学シート）にしわが発生せず、しわに起因して発生する輝度むらをなくすることができる。【０２３３】
なお、図８５（Ａ），（Ｂ）〜図８７（Ａ），（Ｂ）に示した構成を有する光学シートパッケージ体３０の代わりに、図８９（Ａ），（Ｂ）、図９０（Ａ），（Ｂ）に示した構成を有する光学シートパッケージ体３０を用いたり（例えば図１０２（Ａ）〜（Ｃ）参照）、図９４（Ａ），（Ｂ）、図９５（Ａ），（Ｂ）、図９７（Ａ），（Ｂ）に示した構成を有する光学シートパッケージ体５０を用いたり（例えば図１０３（Ａ）〜（Ｃ）または図１０４（Ａ）〜（Ｃ）参照）することが可能である。そのようにした場合にも、しわに起因して発生する輝度むらをなくすることができる。【０２３４】
[第１１の実施の形態]
図１０５（Ａ）は、本発明の第１１の実施の形態に係る表示装置６００の断面構成の一例を表すものである。この表示装置６００は、液晶表示パネル５と、液晶表示パネル５の背後に配置された光源２８と、光源２８を支持する反射板２７と、これら液晶表示パネル５および光源２８との間に配置された光学シートパッケージ体３０と、これら液晶表示パネル５、光源２８、反射板２７および光学シートパッケージ体３０を支持する筐体２５を備えており、液晶表示パネル５の表面が観察者（図示せず）側に向けられている。なお、本実施の形態では、便宜的に、液晶表示パネル５はその表面が水平面と直交するように配置されているものとする。【０２３５】
光源２８は、複数の点状光源が等間隔でマトリクス状に配置されたものである。複数の点状光源は、例えば発光ダイオードからなり、図１０５（Ｃ）に示したように、筐体２５の内壁によって矩形状に囲まれた内部空間に、一の配列方向が内壁（側壁）の一の面とほぼ平行となるように配置されると共に、他の配列方向が内壁（側壁）の一の面と交差する他の面（側壁）とほぼ平行となるように配置されている。また、複数の点状光源は、一の配列方向が拡散板１２の一の辺の延在方向とほぼ平行となるように配置されると共に、他の配列方向が拡散板１２の一の辺と交差する他の辺の延在方向とほぼ平行となるように配置されている。【０２３６】
光学シートパッケージ体３０は、図１０５（Ａ），（Ｂ）に示したように、図８８（Ａ），（Ｂ）に記載の構成となっている。この光学シートパッケージ体３０内の２つの光源像分割シート１１のうち光源２８側の光源像分割シート１１の各プリズム１１Ａは、各プリズム１１Ａの延在方向が光源２８の配列方向と交差する方向であって、かつ拡散板１２の全ての辺の延在方向と交差するように並列配置されている。また、この光学シートパッケージ体３０内の２つの光源像分割シート１１のうち光源２８から遠い方の光源像分割シート１１の各プリズム１１Ａは、各プリズム１１Ａの延在方向が、光源２８側の光源像分割シート１１の各プリズム１１の延在方向ならびに光源２８の配列方向と交差する方向であって、かつ拡散板１２の全ての辺の延在方向と交差するように並列配置されている。【０２３７】
本実施の形態の表示装置６００では、光源２８から射出された光は直接または筐体２５および反射板２７で反射されて光学シートパッケージ体３０に入射する。光学シートパッケージ体３０への入射光は可撓性フィルム４０のうち光源２８側（光入射側）のフィルム（光入射面）を透過したのち、光源像分割シート１１で微小光束に分割され、その分割により得られた光源像が拡散板１２および拡散シート１３で拡散され、面内方向の輝度分布が均一化される。輝度の均一化された拡散光は輝度向上フィルム１４で集光され、正面輝度が増大する。【０２３８】
このようにして光学シートパッケージ体３０を透過した高輝度かつ均一な光が液晶表示パネル５に入射すると、観察者側とは反対側の偏光板の偏光軸と交差する偏光成分が偏光板で吸収され、偏光板の偏光軸と平行な偏光成分が偏光板を透過する。偏光板を透過した直線偏光は各画素電極に入射し、液晶層において各画素電極と対向電極との間に印加された電圧に応じて変調され、カラーフィルタでさらに色分離され、観察者側の偏光板に入射する。偏光板に入射した光のうち偏光板の偏光軸と交差する偏光成分が偏光板で吸収され、偏光板の偏光軸と平行な偏光成分が偏光板を透過してパネル正面に画像を形成する。このようにして、表示装置６００において画像が表示される。【０２３９】
ところで、本実施の形態では、支持板と共に複数の光学シートを可撓性フィルム４０で包み込み、一体化した光学シートパッケージ体３０を用いるようにしたので、光学シートパッケージ体３０内の内包物（複数の光学シート）にしわが発生せず、しわに起因して発生する輝度むらをなくすることができる。【０２４０】
なお、図１０５（Ａ），（Ｂ）に示した構成を有する光学シートパッケージ体３０の代わりに、図９１（Ａ），（Ｂ）、図９２（Ａ），（Ｂ）に示した構成を有する光学シートパッケージ体３０を用いたり（図１０６（Ａ）〜（Ｂ）参照）、図９６（Ａ），（Ｂ）、図９８（Ａ），（Ｂ）に示した構成を有する光学シートパッケージ体５０を用いたり（図１０７（Ａ）〜（Ｂ）、図１０８（Ａ）〜（Ｂ）参照）することが可能である。そのようにした場合にも、しわに起因して発生する輝度むらをなくすることができる。【０２４１】
以上、実施の形態およびその変形例を挙げて本発明を説明したが、本発明は実施の形態等に限定されるものではなく、種々の変形が可能である。【０２４２】
例えば、上記各実施の形態等では、光学シートパッケージ体１，２，３，４，３０，５０の構成を具体的に挙げて説明したが、具体的に挙げた各光学シートを全て備える必要はなく、また、他の層（例えば反射型偏光シート）を備えていてもよい。つまり、用途や目的に応じて種々選択が可能である。なお、拡散板１２の代わりに、光学的に何も作用しない透明な支持板を用いてもよい。【０２４３】
また、上記各実施の形態等では、光学シートパッケージ体３０，５０と液晶表示パネル５との間に特に何も設けていなかったが、光学シートパッケージ体３０，５０と液晶表示パネル５との間に、１または複数の光学シートを設けてもよい。例えば、図１０９に例示したように、光源像分割シート１１、拡散板１２、拡散シート１３、輝度向上フィルム１４を含む光学シートパッケージ体３０と、液晶表示パネル５との間に、反射型偏光シート１５を設けることが可能である。また、例えば、図１１０に例示したように、拡散板１２を、光源４側のフィルムに光源像分割部２２が設けられた可撓性フィルム６０で包み込んだ光学シートパッケージ体５０と、液晶表示パネル５との間に、拡散シート１３、輝度向上フィルム１４および反射型偏光シート１５を光学シートパッケージ体５０側から順に設けることが可能である。
【図１】
2008099834.tif 000003
【図２】
2008099834.tif 000004
【図３】
2008099834.tif 000005
【図４】
2008099834.tif 000006
【図５】
2008099834.tif 000007
【図６】
2008099834.tif 000008
【図７】
2008099834.tif 000009
【図８】
2008099834.tif 000010
【図９】
2008099834.tif 000011
【図１０】
2008099834.tif 000012
【図１１】
2008099834.tif 000013
【図１２】
2008099834.tif 000014
【図１３】
2008099834.tif 000015
【図１４】
2008099834.tif 000016
【図１５】
2008099834.tif 000017
【図１６】
2008099834.tif 000018
【図１７】
2008099834.tif 000019
【図１８】
2008099834.tif 000020
【図１９】
2008099834.tif 000021
【図２０】
2008099834.tif 000022
【図２１】
2008099834.tif 000023
【図２２】
2008099834.tif 000024
【図２３】
2008099834.tif 000025
【図２４】
2008099834.tif 000026
【図２５】
2008099834.tif 000027
【図２６】
2008099834.tif 000028
【図２７】
2008099834.tif 000029
【図２８】
2008099834.tif 000030
【図２９】
2008099834.tif 000031
【図３０】
2008099834.tif 000032
【図３１】
2008099834.tif 000033
【図３２】
2008099834.tif 000034
【図３３】
2008099834.tif 000035
【図３４】
2008099834.tif 000036
【図３５】
2008099834.tif 000037
【図３６】
2008099834.tif 000038
【図３７】
2008099834.tif 000039
【図３８】
2008099834.tif 000040
【図３９】
2008099834.tif 000041
【図４０】
2008099834.tif 000042
【図４１】
2008099834.tif 000043
【図４２】
2008099834.tif 000044
【図４３】
2008099834.tif 000045
【図４４】
2008099834.tif 000046
【図４５】
2008099834.tif 000047
【図４６】
2008099834.tif 000048
【図４７】
2008099834.tif 000049
【図４８】
2008099834.tif 000050
【図４９】
2008099834.tif 000051
【図５０】
2008099834.tif 000052
【図５１】
2008099834.tif 000053
【図５２】
2008099834.tif 000054
【図５３】
2008099834.tif 000055
【図５４】
2008099834.tif 000056
【図５５】
2008099834.tif 000057
【図５６】
2008099834.tif 000058
【図５７】
2008099834.tif 000059
【図５８】
2008099834.tif 000060
【図５９】
2008099834.tif 000061
【図６０】
2008099834.tif 000062
【図６１】
2008099834.tif 000063
【図６２】
2008099834.tif 000064
【図６３】
2008099834.tif 000065
【図６４】
2008099834.tif 000066
【図６５】
2008099834.tif 000067
【図６６】
2008099834.tif 000068
【図６７】
2008099834.tif 000069
【図６８】
2008099834.tif 000070
【図６９】
2008099834.tif 000071
【図７０】
2008099834.tif 000072
【図７１】
2008099834.tif 000073
【図７２】
2008099834.tif 000074
【図７３】
2008099834.tif 000075
【図７４】
2008099834.tif 000076
【図７５】
2008099834.tif 000077
【図７６】
2008099834.tif 000078
【図７７】
2008099834.tif 000079
【図７８】
2008099834.tif 000080
【図７９】
2008099834.tif 000081
【図８０】
2008099834.tif 000082
【図８１】
2008099834.tif 000083
【図８２】
2008099834.tif 000084
【図８３】
2008099834.tif 000085
【図８４】
2008099834.tif 000086
【図８５】
2008099834.tif 000087
【図８６】
2008099834.tif 000088
【図８７】
2008099834.tif 000089
【図８８】
2008099834.tif 000090
【図８９】
2008099834.tif 000091
【図９０】
2008099834.tif 000092
【図９１】
2008099834.tif 000093
【図９２】
2008099834.tif 000094
【図９３】
2008099834.tif 000095
【図９４】
2008099834.tif 000096
【図９５】
2008099834.tif 000097
【図９６】
2008099834.tif 000098
【図９７】
2008099834.tif 000099
【図９８】
2008099834.tif 000100
【図９９】
2008099834.tif 000101
【図１００】
2008099834.tif 000102
【図１０１】
2008099834.tif 000103
【図１０２】
2008099834.tif 000104
【図１０３】
2008099834.tif 000105
【図１０４】
2008099834.tif 000106
【図１０５】
2008099834.tif 000107
【図１０６】
2008099834.tif 000108
【図１０７】
2008099834.tif 000109
【図１０８】
2008099834.tif 000110
【図１０９】
2008099834.tif 000111
【図１１０】
2008099834.tif 000112
【図１１１】
2008099834.tif 000113
【図１１２】
2008099834.tif 000114
【図１１３】
2008099834.tif 000115
【図１１４】
2008099834.tif 000116
【図１１５】
2008099834.tif 000117
【図１１６】
2008099834.tif 000118
【図１１７】
2008099834.tif 000119
【図１１８】
2008099834.tif 000120
【国際調査報告】
2008099834.tif 000121
2008099834.tif 000122
2008099834.tif 000123
2008099834.tif 000124
2008099834.tif 000125
2008099834.tif 000126
2008099834.tif 000127